(57)【要約】【課題】ＣＤ−Ｒドライブを、ＣＤからデータの読み出すドライブとそのデータをＣＤ−Ｒに書き込むドライブのいずれにも共通して使用できるようにする。【解決手段】コントローラ９は、ＣＤ−Ｒドライブ４に装着されたＣＤのソースデータを読み出し、ＣＤ−Ｒドライブ５に装着されたＣＤ−Ｒにそのソースデータを書き込ませて、その際のソースデータの書き込み速度よりも速い速度でソースデータの読み出しを行なわせる。【選択図】　　　　図１
2004005444.tif 000002
【特許請求の範囲】
【請求項１】
複数の書き込み可能な光ディスク用ドライブを有し、
いずれか１台の書き込み可能な光ディスク用ドライブに装着されたソースメディアのデータを読み出す手段と、該手段によって読み出されたデータを残りの書き込み可能な光ディスク用ドライブに装着されたターゲットメディアに書き込ませる手段と、該ターゲットメディアに対する書き込み速度よりも速い速度で前記データを読み出す手段に前記ソースメディアからのデータの読み出しを行なわせる読み書き速度制御手段とを備え、
前記複数の書き込み可能な光ディスク用ドライブが１台づつ相互に着脱可能なモジュールに分割されており、
該各モジュールに、他のモジュールとデータのやり取りを可能に接続する手段と、他のモジュールとの組み合せ位置に基づいてソースメディアのデータを読み出すモジュールと、該モジュールによって読み出されたデータをターゲットメディアに書き込むモジュールとのいずれかの役割を自動的に決定する手段とを設けたことを特徴とするデータ複写装置。
【請求項２】
複数の書き込み可能な光ディスク用ドライブと、テープ記録装置，リムーバブルハードディスク装置，及び書き込みと書き換え可能な光磁気ディスク用ドライブ等のダイレクトアクセス装置とを有し、
該ダイレクトアクセス装置に装着されたソースメディアに記録されている記録フォーマットを検出する手段と、該手段によって検出された記録フォーマットに基づいて前記ソースメディアからデータを読み出させる手段と、該手段によって読み出されたデータを前記複数の書き込み可能な光ディスク用ドライブに装着されたターゲットメディアに記録可能なフォーマットに変換する手段と、該手段によって変換されたデータを前記複数の書き込み可能な光ディスク用ドライブに装着されたそれぞれのターゲットメディアに書き込ませる手段とを備え、
前記複数の書き込み可能な光ディスク用ドライブとダイレクトアクセス装置が１台づつ相互に着脱可能なモジュールに分割されており、
該各モジュールに、他のモジュールとデータのやり取りを可能に接続する手段と、他のモジュールとの組み合せ位置に基づいてソースメディアのデータを読み出すモジュールと、該モジュールによって読み出されたデータをターゲットメディアに書き込むモジュールとのいずれかの役割を自動的に決定する手段とを設けたことを特徴とするデータ複写装置。
【請求項３】
書き込み可能な光ディスク用ドライブと、テープ記録装置，リムーバブルハードディスク装置，及び書き込み可能で書き換え可能な光磁気ディスク用ドライブ等のダイレクトアクセス装置とを有し、
前記書き込み可能な光ディスク用ドライブに装着されたソースメディアからデータを読み出させる手段と、前記ダイレクトアクセス装置に装着されたターゲットメディアにデータを記録するときの記録フォーマットを設定する手段と、該手段によって設定された記録フォーマットに基づいて前記ソースメディアから読み出されたデータを前記ターゲットメディアに記録可能なフォーマットに変換する手段と、該手段によって変換されたデータを前記ダイレクトアクセス装置に装着されたターゲットメディアに書き込ませる手段とを備え、
前記複数の書き込み可能な光ディスク用ドライブとダイレクトアクセス装置が１台づつ相互に着脱可能なモジュールに分割されており、
該各モジュールに、他のモジュールとデータのやり取りを可能に接続する手段と、他のモジュールとの組み合せ位置に基づいてソースメディアのデータを読み出すモジュールと、該モジュールによって読み出されたデータをターゲットメディアに書き込むモジュールとのいずれかの役割を自動的に決定する手段とを設けたことを特徴とするデータ複写装置。
【請求項４】
複数の書き込み可能な光ディスク用ドライブを有し、
いずれか１台の書き込み可能な光ディスク用ドライブに装着されたソースメディアのデータを読み出す手段と、該手段によって読み出されたデータを残りの書き込み可能な光ディスク用ドライブに装着されたターゲットメディアに書き込ませる手段と、該ターゲットメディアに対する書き込み速度よりも速い速度で前記データを読み出す手段に前記ソースメディアからのデータの読み出しを行なわせる読み書き速度制御手段とを備え、
前記書き込み可能な光ディスク用ドライブに装着されたソースメディアがＣＤ−ＲＯＭのとき、該ＣＤ−ＲＯＭのバーコードを読み取る手段と、該手段によって読み取られたバーコードのデータをＰＯＳシステムを通じて前記ＣＤ−ＲＯＭの版権及び著作権等の権利の保有者の端末装置へ送る手段と、該端末装置から前記ＣＤ−ＲＯＭのコピーの許可及び不許可の指示データを受け取る手段と、該手段によってコピー許可の指示データを受け取ったときにのみ前記ＣＤ−ＲＯＭのデータの前記ターゲットメディアに対する書き込みを可能にする手段と、前記データの書き込みが成功したターゲットメディアの個数をカウントする手段と、該手段によってカウントされた個数のデータを前記ＰＯＳシステムを通じて前記ＣＤ−ＲＯＭの版権及び著作権等の権利の保有者の端末装置へ送る手段とを設けたことを特徴とするデータ複写装置。
【請求項５】
複数の書き込み可能な光ディスク用ドライブと、テープ記録装置，リムーバブルハードディスク装置，及び書き込みと書き換え可能な光磁気ディスク用ドライブ等のダイレクトアクセス装置とを有し、
該ダイレクトアクセス装置に装着されたソースメディアに記録されている記録フォーマットを検出する手段と、該手段によって検出された記録フォーマットに基づいて前記ソースメディアからデータを読み出させる手段と、該手段によって読み出されたデータを前記複数の書き込み可能な光ディスク用ドライブに装着されたターゲットメディアに記録可能なフォーマットに変換する手段と、該手段によって変換されたデータを前記複数の書き込み可能な光ディスク用ドライブに装着されたそれぞれのターゲットメディアに書き込ませる手段とを備え、
前記書き込み可能な光ディスク用ドライブに装着されたソースメディアがＣＤ−ＲＯＭのとき、該ＣＤ−ＲＯＭのバーコードを読み取る手段と、該手段によって読み取られたバーコードのデータをＰＯＳシステムを通じて前記ＣＤ−ＲＯＭの版権及び著作権等の権利の保有者の端末装置へ送る手段と、該端末装置から前記ＣＤ−ＲＯＭのコピーの許可及び不許可の指示データを受け取る手段と、該手段によってコピー許可の指示データを受け取ったときにのみ前記ＣＤ−ＲＯＭのデータの前記ターゲットメディアに対する書き込みを可能にする手段と、前記データの書き込みが成功したターゲットメディアの個数をカウントする手段と、該手段によってカウントされた個数のデータを前記ＰＯＳシステムを通じて前記ＣＤ−ＲＯＭの版権及び著作権等の権利の保有者の端末装置へ送る手段とを設けたことを特徴とするデータ複写装置。
【請求項６】
書き込み可能な光ディスク用ドライブと、テープ記録装置，リムーバブルハードディスク装置，及び書き込み可能で書き換え可能な光磁気ディスク用ドライブ等のダイレクトアクセス装置とを有し、
前記書き込み可能な光ディスク用ドライブに装着されたソースメディアからデータを読み出させる手段と、前記ダイレクトアクセス装置に装着されたターゲットメディアにデータを記録するときの記録フォーマットを設定する手段と、該手段によって設定された記録フォーマットに基づいて前記ソースメディアから読み出されたデータを前記ターゲットメディアに記録可能なフォーマットに変換する手段と、該手段によって変換されたデータを前記ダイレクトアクセス装置に装着されたターゲットメディアに書き込ませる手段とを備え、
前記書き込み可能な光ディスク用ドライブに装着されたソースメディアがＣＤ−ＲＯＭのとき、該ＣＤ−ＲＯＭのバーコードを読み取る手段と、該手段によって読み取られたバーコードのデータをＰＯＳシステムを通じて前記ＣＤ−ＲＯＭの版権及び著作権等の権利の保有者の端末装置へ送る手段と、該端末装置から前記ＣＤ−ＲＯＭのコピーの許可及び不許可の指示データを受け取る手段と、該手段によってコピー許可の指示データを受け取ったときにのみ前記ＣＤ−ＲＯＭのデータの前記ターゲットメディアに対する書き込みを可能にする手段と、前記データの書き込みが成功したターゲットメディアの個数をカウントする手段と、該手段によってカウントされた個数のデータを前記ＰＯＳシステムを通じて前記ＣＤ−ＲＯＭの版権及び著作権等の権利の保有者の端末装置へ送る手段とを設けたことを特徴とするデータ複写装置。
【請求項７】
書き込み可能な光ディスク用ドライブを有し、
通信手段によって送信されるソースデータを受信する手段と、該手段によって受信したソースデータをバッファリングする手段と、該手段によってバッファリングされたソースデータを前記書き込み可能な光ディスク用ドライブに装着されたターゲットメディアに書き込み可能なフォーマットに変換する手段と、該手段によって変換されたソースデータを前記書き込み可能な光ディスク用ドライブに装着されたターゲットメディアに書き込ませる手段と、該手段によってソースデータの書き込みが成功したターゲットメディアの個数をカウントする手段と、該手段によってカウントされた個数に基づいて課金を行なう手段からの情報を受信する手段とを設けたことを特徴とするデータ複写装置。
【請求項８】
請求項４記載のデータ複写装置において、
前記複数の書き込み可能な光ディスク用ドライブが１台づつ相互に着脱可能なモジュールに分割されており、
該各モジュールに、他のモジュールとデータのやり取りを可能に接続する手段と、装着されたメディアの種類に基づいてソースメディアのデータを読み出すモジュールと、該モジュールによって読み出されたデータをターゲットメディアに書き込むモジュールとのいずれかの役割を自動的に決定する手段とを設けたことを特徴とするデータ複写装置。
【請求項９】
請求項２，３，５又は６のいずれか一項に記載のデータ複写装置において、
前記複数の書き込み可能な光ディスク用ドライブとダイレクトアクセス装置が１台づつ相互に着脱可能なモジュールに分割されており、
該各モジュールに、他のモジュールとデータのやり取りを可能に接続する手段と、装着されたメディア上のデータの有無に基づいてソースメディアのデータを読み出すモジュールと、該モジュールによって読み出されたデータをターゲットメディアに書き込むモジュールとのいずれかの役割を自動的に決定する手段を設けたことを特徴とするデータ複写装置。
【請求項１０】
請求項２，３，５又は６のいずれか一項に記載のデータ複写装置において、
前記ソースメディアからデータを読み出すときの最低保証再生速度と、前記ソースメディアから読み出したデータを前記ターゲットメディアに書き込み可能なフォーマットに変換するときの最低保証変換速度と、前記書き込み可能なフォーマットに変換されたデータを前記ターゲットメディアに書き込むときの最低保証記録速度とのいずれか最も遅い速度を基準にして前記読み書き速度制御手段によるデータの読み出し及び書き込みを行なわせる手段を設けたことを特徴とするデータ複写装置。
【請求項１１】
請求項２，３，５又は６のいずれか一項に記載のデータ複写装置において、
前記ダイレクトアクセス装置に装着されたソースメディアに記録されたデータ量を検出する手段と、該手段によって検出したデータ量が１個のターゲットメディアに記録可能な容量を越えているとき、前記ソースメディアから読み出したデータを前記複数の書き込み可能な光ディスク用ドライブにそれぞれ装着されたターゲットメディアにそれぞれ分割して書き込ませる手段を設けたことを特徴とするデータ複写装置。
【請求項１２】
請求項１乃至１１のいずれか一項に記載のデータ複写装置において、
前記書き込み可能な光ディスク用ドライブに対して複数のソースメディアをそれぞれ交換して装着する手段と、該手段によって装着されるソースメディアから読み出すデータのトラック情報と読み出しの順番とを指定する手段と、該手段によって指定されたトラック情報のトラック長の合計が前記ターゲットメディアのデータ長を越えるか否か判定する手段と、該手段の判定結果を出力する手段とを設けたことを特徴とするデータ複写装置。
【請求項１３】
請求項７記載のデータ複写装置において、
前記通信手段によって送信される前記ソースデータに関するデータを受信する手段と、該手段によって受信したデータを前記カウントされた個数分のプリントデータとして出力する手段とを設けたことを特徴とするデータ複写装置。
【請求項１４】
請求項１１記載のデータ複写装置において、
前記ソースメディアから読み出したデータを前記複数の書き込み可能な光ディスク用ドライブに装着された各ターゲットメディアに書き込みきれなかったとき、前記書き込み可能な光ディスク用ドライブに対する新たなターゲットメディアの取り換え指示を通知する手段を設けたことを特徴とするデータ複写装置。
【請求項１５】
データ複写装置とデータのＰＯＳ通信を行なう前記通信手段を備えた版権者側の装置であって、
前記データ複写装置からの必要なデータの要求に基づいてそのデータのコピー要求の許可又は不許可を判断し、許可の場合はその通知を前記データ複写装置へ送る手段を設けたことを特徴とする版権者側の装置。
【請求項１６】
請求項１５記載の版権者側の装置において、
前記データ複写装置からのカウントデータに基づいて課金を行なう手段を設けたことを特徴とする版権者側の装置。
【請求項１７】
データ複写装置とデータのＰＯＳ通信を行なう前記通信手段を備えた版権者側の装置を有するＰＯＳシステムであって、
前記版権者側の装置に、前記データ複写装置からの必要なデータの要求に基づいてそのデータのコピー要求の許可又は不許可を判断し、許可の場合はその通知を前記データ複写装置へ送る手段を設けたことを特徴とするＰＯＳシステム。
【請求項１８】
請求項１５記載のＰＯＳシステムにおいて、
前記版権者側の装置に、前記データ複写装置からのカウントデータに基づいて課金を行なう手段を設けたことを特徴とするＰＯＳシステム。
【発明の詳細な説明】
【０００１】
【産業上の利用分野】
この発明は、光ディスク，光磁気ディスク，テープ，及びリムーバブルハードディスク等の各種メディアに対する音声データ及び画像データ等の各種データの複写を行なうデータ複写装置とデータ複写装置とＰＯＳ通信を行なう版権者側の装置とデータ複写装置と版権者側の装置とからなるＰＯＳシステムに関する。
【０００２】
【従来の技術】
従来、再生専用光ディスクであるＣＤ−ＲＯＭを装着してそのデータを再生するＣＤ−ＲＯＭドライブと、書き込み可能で書き換え不能な光ディスクであるＣＤ−Ｒを装着してそのデータの再生及びそれに対するデータの書き込みを行なうＣＤ−Ｒドライブを備えて、複写元のソースメディアであるＣＤ−ＲＯＭに記録されたデータを読み出して、複写先のターゲットメディアであるＣＤ−Ｒに書き込んでコピーするデータ複写装置（「ＣＤ−ＲＯＭ複写装置」と称する）があった。
【０００３】
また、上記のようなデータ複写装置（「マスタマシン」と称する）にＣＤ−Ｒドライブを２台備えた拡張装置（「スレーブマシン」と称する）を接続して、マスタマシンのＣＤ−ＲＯＭドライブに装着されたＣＤ−ＲＯＭから読み出したデータを、スレーブマシンの各ＣＤ−Ｒドライブにそれぞれ装着されたＣＤ−Ｒに書き込んでコピーすることもできた。
【０００４】
【発明が解決しようとする課題】
しかしながら、従来のデータ複写装置は、マスタマシンとスレーブマシンは似通った構成でありながらそれぞれ別機種として製作しなければならなかった。
つまり、マスタマシンとスレーブマシンを製作することにより在庫負担が増加し、コストダウンの軽減も容易に図ることができないという問題があった。
【０００５】
また、ターゲットメディアを装着するターゲットドライブを２台必要とする場合、マスタマシンにスレーブマシンを１台接続することによりターゲットドライブが３台になってしまうので、ターゲットドライブを必要な台数だけ容易に増設して拡張できないという問題があった。
【０００６】
さらに、ＣＤ−ＲＯＭ以外のメディアに記録されているデータ、例えば９トラックＭＴのデータはそのフォーマットがＣＤ−Ｒに記録するときのフォーマットと異なるのでフォーマットの変換を行なわなければならない。
そのため、ＣＤ−ＲＯＭ以外のメディアを容易にソースメディアとして使用することができないという問題があった。
【０００７】
例えば、一般に大型コンピュータやワークステーションでは、テープドライブによってマルチトラックテープ，ＤＡＴ，及び８ｍｍテープ等のテープメディアにデータを記録して保存している。
これらのテープメディアはデータを磁気情報としてテープ上に記録するが、磁化されたテープメディアの磁化強度が時間経過と共に弱くなるという欠点を持っているので、その磁気情報は長時間の保存には適さない。
【０００８】
そのため、テープメディアによってデータが安全に保持しえる時間はおよそ半年と云われており、それ以上の期間保管するときには、テープ上のデータを一旦ホストコンピュータに読み出して再びテープ上に書き戻すリサイクル作業を施す必要があった。
さらに、テープメディアはテープにデータを記録するときにヘッドが直接触れるので耐久性にも乏しいという欠点もある。
【０００９】
そこで、テープメディアに記録されたデータをＣＤ−Ｒに書き写して保存することが望ましいが、現状ではテープメディアに記録されたデータを一旦ホストコンピュータへ読み出してからＣＤ−Ｒに書き移す作業が必要であり、テープメディアからＣＤ−Ｒへのデータの複写を簡便に行なえなかった。
【００１０】
また、ＣＤ−ＲＯＭ以外のメディアにも様々な種類が有り、例えば、テープメディアにしても９トラックＭＴ，８ｍｍテープ，及びＤＡＴ等の各種類あり、それらをソースメディアとして使用する場合、その種類毎にターゲットメディアのＣＤ−Ｒドライブを変更しなければならないという問題があった。
【００１１】
さらに、ＣＤ−Ｒに書き込まれたデータをテープ，リムーバブルハードディスク，及び光磁気ディスク等のメディアに複写することも容易に行なえないという問題があった。
【００１２】
例えば、ＣＤ−Ｒに書き込まれたデータを元にしてＣＤ−ＲＯＭのスタンパを作成してＣＤ−ＲＯＭを作成する場合、そのスタンパのデータ読取装置は、例えば、９トラックＭＴ，リムーバブルハードディスク，及び光磁気ディスクなどのメディアに記録された連続性のあるデータフォーマットのデータで供給する場合が多く、ＣＤ−Ｒに書き込んだデータを異なるフォーマットのメディアに複写することが容易に行なえなかった。
【００１３】
また、ＣＤ−ＲＯＭのデータを他のメディアに複写するとき、版権又は著作権フリーのオリジナルＣＤデータや、複写するユーザが著作権を持つＣＤデータの場合にはそのまま複写しても問題はないが、それ以外のデータでは許可無く複写すると版権又は著作権等の権利の侵害になってしまう恐れがある。
そこで、版権や著作権が設定されているオリジナルＣＤのコピーをできないようにする違法コピー防止手段を設けたデータ複写装置（例えば、特開平４−８２０５５号公報参照）があった。
【００１４】
しかし、このような違法コピー防止手段は版権や著作権保護の観点からはもちろん必要であるが、そのオリジナルＣＤの版権や著作権の保有者に相当の使用料を支払って合法的にコピーすることができないという問題があった。
【００１５】
さらに、ソースメディアのデータをターゲットメディアに記録する場合、ターゲットメディアに記録されるデータはソースメディアから読み出した音声や映像等のデータのデータ長だけとは限らない。
例えば、マルチセッションで記録する場合は音声や映像のデータと共にリードイン・リードアウト，リンクブロック等のデータをも記録しなければならないので、所望のソースメディアのデータがターゲットメディアに全て記録できるか否かを容易に判断することができないという問題があった。
【００１６】
また、ＣＤ−Ｒに対してデータをコピーするとき、その書き込みが途中で途切れるとバッファアンダーランというデータの不連続性が生じてしまう。そのバッファアンダーランが発生するとそのＣＤ−Ｒディスクは使用できなくなる。
それはＣＤ−ＲがＣＤ特有のエラーコードを利用する以上は避けられない問題であり、記録時はデータの書き込みが途切れないようにしなければならない。
【００１７】
さらに、ＣＤ−Ｒドライブにはデータ記録時の記録速度を選択できるものがあるが、ソースメディアのデータの読み出し速度を越えた速度でターゲットメディアにデータを記録することはできない。そこで、ソースメディアからのデータの読み出し速度がＣＤ−Ｒに対するデータの記録速度よりも速くすれば安定した記録動作を行なえる。
【００１８】
しかし、ターゲットメディアに対するデータの書き込みが途中で中断しないように、ソースメディアからのデータの読み出し速度をＣＤ−Ｒに対するデータの記録速度よりも速くする速度設定が容易に行なえないという問題があった。
【００１９】
また、オリジナルのＣＤやＣＤ−ＲＯＭ等のソースメディアが手元になければそのデータを複写することができないという問題があった。
さらに、そのＣＤのジャケットやＣＤ−ＲＯＭの使用方法又はマニュアル等も容易に得ることができないという問題があった。
【００２０】
また、ソースメディアに記録されたデータが大容量の場合、例えば、９トラックＭＴ等は数百メガバイトから数ギガバイトのデータを記録することができる。そのデータを全て１個のＣＤ−Ｒに記録しきれないこともある。そのようなときには、ソースメディアのデータを切りの良いファイルで分割して複数個のＣＤ−Ｒに記録する必要があるが、そのファイルを分割して複数のＣＤ−Ｒに振り分けて記録する作業が煩雑であるという問題があった。さらに、ＣＤ−Ｒを取り換え時期を容易に識別することが困難であるという問題もあった。
【００２１】
この発明は上記の点に鑑みてなされたものであり、書き込み可能な光ディスク用ドライブを、ソースディスクからデータの読み出すドライブとソースディスクから読み出されたデータをターゲットディスクに書き込むドライブのいずれにも共通して使用できるようにすることを目的とする。
【００２２】
また、ターゲットディスクを装着するターゲットドライブを必要な台数だけ容易に増設できるようにすることも目的とする。
さらに、複数の書き込み可能な光ディスク用ドライブを接続したとき、ソースディスクからデータの読み出すドライブとソースディスクから読み出されたデータをターゲットディスクに書き込むドライブの機能を容易に割り当てられるようにすることを目的とする。
【００２３】
また、テープ，ハードディスク，及び光磁気ディスク等のメディアに記録されたデータをＣＤ−Ｒに容易に複写できるようにすることを目的とする。
さらに、ＣＤ−Ｒに記録されたデータをテープ，ハードディスク，及び光磁気ディスク等のメディアに容易に複写できるようにすることを目的とする。
【００２４】
さらにまた、テープ，ハードディスク，及び光磁気ディスク等のメディアに対するデータの記録及び再生するダイレクトアクセス装置及び複数の書き込み可能な光ディスク用ドライブを必要な台数だけ容易に増設できるようにすることも目的とする。
【００２５】
そしてまた、ダイレクトアクセス装置と書き込み可能な光ディスク用ドライブを複数接続したとき、ソースディスクからデータの読み出すドライブとソースディスクから読み出されたデータをターゲットディスクに書き込むドライブの機能を容易に割り当てられるようにすることを目的とする。
【００２６】
また、ＣＤ−ＲＯＭに記録されているデータを許可を受けて複写できるようにすることを目的とする。
さらに、ソースメディアに記録されたデータがターゲットメディアに全て記録できるか否かを容易に判断できるようにすることを目的とする。
さらにまた、ターゲットメディアに対するデータの書き込みが途中で中断しないように安定した速度で書き込みを行なえるようにすることを目的とする。
【００２７】
また、コピーすべきソースメディアが手元になくても容易にそのデータを入手してコピーできるようにすることを目的とする。
さらに、手元にないソースメディアのジャケットや使用方法又はマニュアル等も許可を得て容易に入手できるようにすることも目的とする。
【００２８】
また、ソースメディアに記録された大容量のデータを容易に複数個のＣＤ−Ｒに振り分けて記録できるようにすることを目的とする。
さらに、ユーザがＣＤ−Ｒの取り換え時期を容易に識別できるようにすることも目的とする。
【００２９】
【課題を解決するための手段】
この発明は上記の目的を達成するため、複数の書き込み可能な光ディスク用ドライブを有し、いずれか１台の書き込み可能な光ディスク用ドライブに装着されたソースメディアのデータを読み出す手段と、その手段によって読み出されたデータを残りの書き込み可能な光ディスク用ドライブに装着されたターゲットメディアに書き込ませる手段と、そのターゲットメディアに対する書き込み速度よりも速い速度で上記データを読み出す手段に上記ソースメディアからのデータの読み出しを行なわせる読み書き速度制御手段を備え、上記複数の書き込み可能な光ディスク用ドライブが１台づつ相互に着脱可能なモジュールに分割されており、その各モジュールに、他のモジュールとデータのやり取りを可能に接続する手段と、他のモジュールとの組み合せ位置に基づいてソースメディアのデータを読み出すモジュールと、そのモジュールによって読み出されたデータをターゲットメディアに書き込むモジュールとのいずれかの役割を自動的に決定する手段を設けたデータ複写装置を提供する。
【００３０】
また、複数の書き込み可能な光ディスク用ドライブと、テープ記録装置，リムーバブルハードディスク装置，及び書き込みと書き換え可能な光磁気ディスク用ドライブ等のダイレクトアクセス装置を有し、そのダイレクトアクセス装置に装着されたソースメディアに記録されている記録フォーマットを検出する手段と、その手段によって検出された記録フォーマットに基づいて上記ソースメディアからデータを読み出させる手段と、その手段によって読み出されたデータを上記複数の書き込み可能な光ディスク用ドライブに装着されたターゲットメディアに記録可能なフォーマットに変換する手段と、その手段によって変換されたデータを上記複数の書き込み可能な光ディスク用ドライブに装着されたそれぞれのターゲットメディアに書き込ませる手段を備え、上記複数の書き込み可能な光ディスク用ドライブとダイレクトアクセス装置が１台づつ相互に着脱可能なモジュールに分割されており、その各モジュールに、他のモジュールとデータのやり取りを可能に接続する手段と、他のモジュールとの組み合せ位置に基づいてソースメディアのデータを読み出すモジュールと、そのモジュールによって読み出されたデータをターゲットメディアに書き込むモジュールとのいずれかの役割を自動的に決定する手段を設けたデータ複写装置にするとよい。
【００３１】
さらに、書き込み可能な光ディスク用ドライブと、テープ記録装置，リムーバブルハードディスク装置，及び書き込み可能で書き換え可能な光磁気ディスク用ドライブ等のダイレクトアクセス装置を有し、上記書き込み可能な光ディスク用ドライブに装着されたソースメディアからデータを読み出させる手段と、上記ダイレクトアクセス装置に装着されたターゲットメディアにデータを記録するときの記録フォーマットを設定する手段と、その手段によって設定された記録フォーマットに基づいて上記ソースメディアから読み出されたデータを上記ターゲットメディアに記録可能なフォーマットに変換する手段と、その手段によって変換されたデータを上記ダイレクトアクセス装置に装着されたターゲットメディアに書き込ませる手段を備え、上記複数の書き込み可能な光ディスク用ドライブとダイレクトアクセス装置が１台づつ相互に着脱可能なモジュールに分割されており、その各モジュールに、他のモジュールとデータのやり取りを可能に接続する手段と、他のモジュールとの組み合せ位置に基づいてソースメディアのデータを読み出すモジュールと、そのモジュールによって読み出されたデータをターゲットメディアに書き込むモジュールとのいずれかの役割を自動的に決定する手段を設けたデータ複写装置にするとよい。
【００３２】
また、複数の書き込み可能な光ディスク用ドライブを有し、いずれか１台の書き込み可能な光ディスク用ドライブに装着されたソースメディアのデータを読み出す手段と、その手段によって読み出されたデータを残りの書き込み可能な光ディスク用ドライブに装着されたターゲットメディアに書き込ませる手段と、そのターゲットメディアに対する書き込み速度よりも速い速度で上記データを読み出す手段に上記ソースメディアからのデータの読み出しを行なわせる読み書き速度制御手段を備え、上記書き込み可能な光ディスク用ドライブに装着されたソースメディアがＣＤ−ＲＯＭのとき、そのＣＤ−ＲＯＭのバーコードを読み取る手段と、その手段によって読み取られたバーコードのデータをＰＯＳシステムを通じて上記ＣＤ−ＲＯＭの版権及び著作権等の権利の保有者の端末装置へ送る手段と、その端末装置から上記ＣＤ−ＲＯＭのコピーの許可及び不許可の指示データを受け取る手段と、該手段によってコピー許可の指示データを受け取ったときにのみ上記ＣＤ−ＲＯＭのデータの上記ターゲットメディアに対する書き込みを可能にする手段と、上記データの書き込みが成功したターゲットメディアの個数をカウントする手段と、その手段によってカウントされた個数のデータを上記ＰＯＳシステムを通じて上記ＣＤ−ＲＯＭの版権及び著作権等の権利の保有者の端末装置へ送る手段を設けたデータ複写装置も提供する。
【００３３】
さらに、複数の書き込み可能な光ディスク用ドライブと、テープ記録装置，リムーバブルハードディスク装置，及び書き込みと書き換え可能な光磁気ディスク用ドライブ等のダイレクトアクセス装置を有し、そのダイレクトアクセス装置に装着されたソースメディアに記録されている記録フォーマットを検出する手段と、その手段によって検出された記録フォーマットに基づいて上記ソースメディアからデータを読み出させる手段と、その手段によって読み出されたデータを上記複数の書き込み可能な光ディスク用ドライブに装着されたターゲットメディアに記録可能なフォーマットに変換する手段と、その手段によって変換されたデータを上記複数の書き込み可能な光ディスク用ドライブに装着されたそれぞれのターゲットメディアに書き込ませる手段を備え、上記書き込み可能な光ディスク用ドライブに装着されたソースメディアがＣＤ−ＲＯＭのとき、そのＣＤ−ＲＯＭのバーコードを読み取る手段と、その手段によって読み取られたバーコードのデータをＰＯＳシステムを通じて上記ＣＤ−ＲＯＭの版権及び著作権等の権利の保有者の端末装置へ送る手段と、その端末装置から上記ＣＤ−ＲＯＭのコピーの許可及び不許可の指示データを受け取る手段と、その手段によってコピー許可の指示データを受け取ったときにのみ上記ＣＤ−ＲＯＭのデータの上記ターゲットメディアに対する書き込みを可能にする手段と、上記データの書き込みが成功したターゲットメディアの個数をカウントする手段と、その手段によってカウントされた個数のデータを上記ＰＯＳシステムを通じて上記ＣＤ−ＲＯＭの版権及び著作権等の権利の保有者の端末装置へ送る手段を設けたデータ複写装置を提供する。
【００３４】
また、書き込み可能な光ディスク用ドライブと、テープ記録装置，リムーバブルハードディスク装置，及び書き込み可能で書き換え可能な光磁気ディスク用ドライブ等のダイレクトアクセス装置を有し、上記書き込み可能な光ディスク用ドライブに装着されたソースメディアからデータを読み出させる手段と、上記ダイレクトアクセス装置に装着されたターゲットメディアにデータを記録するときの記録フォーマットを設定する手段と、その手段によって設定された記録フォーマットに基づいて上記ソースメディアから読み出されたデータを上記ターゲットメディアに記録可能なフォーマットに変換する手段と、その手段によって変換されたデータを上記ダイレクトアクセス装置に装着されたターゲットメディアに書き込ませる手段を備え、上記書き込み可能な光ディスク用ドライブに装着されたソースメディアがＣＤ−ＲＯＭのとき、そのＣＤ−ＲＯＭのバーコードを読み取る手段と、その手段によって読み取られたバーコードのデータをＰＯＳシステムを通じて上記ＣＤ−ＲＯＭの版権及び著作権等の権利の保有者の端末装置へ送る手段と、その端末装置から上記ＣＤ−ＲＯＭのコピーの許可及び不許可の指示データを受け取る手段と、その手段によってコピー許可の指示データを受け取ったときにのみ上記ＣＤ−ＲＯＭのデータの上記ターゲットメディアに対する書き込みを可能にする手段と、上記データの書き込みが成功したターゲットメディアの個数をカウントする手段と、その手段によってカウントされた個数のデータを上記ＰＯＳシステムを通じて上記ＣＤ−ＲＯＭの版権及び著作権等の権利の保有者の端末装置へ送る手段を設けたデータ複写装置にするとよい。
【００３５】
さらに、書き込み可能な光ディスク用ドライブを有し、通信手段によって送信されるソースデータを受信する手段と、その手段によって受信したソースデータをバッファリングする手段と、その手段によってバッファリングされたソースデータを上記書き込み可能な光ディスク用ドライブに装着されたターゲットメディアに書き込み可能なフォーマットに変換する手段と、その手段によって変換されたソースデータを上記書き込み可能な光ディスク用ドライブに装着されたターゲットメディアに書き込ませる手段と、その手段によってソースデータの書き込みが成功したターゲットメディアの個数をカウントする手段と、その手段によってカウントされた個数に基づいて課金を行なう手段からの情報を受信する手段を設けた複写装置にするとよい。
【００３６】
また、上記のようなデータ複写装置において、上記複数の書き込み可能な光ディスク用ドライブが１台づつ相互に着脱可能なモジュールに分割されており、その各モジュールに、他のモジュールとデータのやり取りを可能に接続する手段と、装着されたメディアの種類に基づいてソースメディアのデータを読み出すモジュールと、そのモジュールによって読み出されたデータをターゲットメディアに書き込むモジュールとのいずれかの役割を自動的に決定する手段を設けるとよい。
【００３７】
さらに、上記のようなデータ複写装置において、上記複数の書き込み可能な光ディスク用ドライブとダイレクトアクセス装置が１台づつ相互に着脱可能なモジュールに分割されており、その各モジュールに、他のモジュールとデータのやり取りを可能に接続する手段と、装着されたメディア上のデータの有無に基づいてソースメディアのデータを読み出すモジュールと、そのモジュールによって読み出されたデータをターゲットメディアに書き込むモジュールとのいずれかの役割を自動的に決定する手段を設けるとよい。
【００３８】
さらにまた、上記のようなデータ複写装置において、上記ソースメディアからデータを読み出すときの最低保証再生速度と、上記ソースメディアから読み出したデータを上記ターゲットメディアに書き込み可能なフォーマットに変換するときの最低保証変換速度と、上記書き込み可能なフォーマットに変換されたデータを上記ターゲットメディアに書き込むときの最低保証記録速度とのいずれか最も遅い速度を基準にして上記読み書き速度制御手段によるデータの読み出し及び書き込みを行なわせる手段を設けるとよい。
【００３９】
また、上記のデータ複写装置において、上記ダイレクトアクセス装置に装着されたソースメディアに記録されたデータ量を検出する手段と、その手段によって検出したデータ量が１個のターゲットメディアに記録可能な容量を越えているとき、上記ソースメディアから読み出したデータを上記複数の書き込み可能な光ディスク用ドライブにそれぞれ装着されたターゲットメディアにそれぞれ分割して書き込ませる手段を設けるとよい。
【００４０】
さらに、上記のようなデータ複写装置において、上記書き込み可能な光ディスク用ドライブに対して複数のソースメディアをそれぞれ交換して装着する手段と、その手段によって装着されるソースメディアから読み出すデータのトラック情報と読み出しの順番とを指定する手段と、その手段によって指定されたトラック情報のトラック長の合計が上記ターゲットメディアのデータ長を越えるか否か判定する手段と、その手段の判定結果を出力する手段を設けるとよい。
【００４１】
また、上記のようなデータ複写装置において、上記通信手段によって送信される上記ソースデータに関するデータを受信する手段と、その手段によって受信したデータを上記カウントされた個数分のプリントデータとして出力する手段を設けるとよい。
さらに、上記ソースメディアから読み出したデータを上記複数の書き込み可能な光ディスク用ドライブに装着された各ターゲットメディアに書き込みきれなかったとき、上記書き込み可能な光ディスク用ドライブに対する新たなターゲットメディアの取り換え指示を通知する手段を設けるとよい。
【００４２】
また、データ複写装置とデータのＰＯＳ通信を行なう上記通信手段を備えた版権者側の装置であって、上記データ複写装置からの必要なデータの要求に基づいてそのデータのコピー要求の許可又は不許可を判断し、許可の場合はその通知を上記データ複写装置へ送る手段を設けた版権者側の装置を提供する。
さらに、上記のような版権者側の装置において、上記データ複写装置からのカウントデータに基づいて課金を行なう手段を設けるとよい。
また、データ複写装置とデータのＰＯＳ通信を行なう前記通信手段を備えた版権者側の装置を有するＰＯＳシステムであって、上記版権者側の装置に、上記データ複写装置からの必要なデータの要求に基づいてそのデータのコピー要求の許可又は不許可を判断し、許可の場合はその通知を上記データ複写装置へ送る手段を設けたＰＯＳシステムを提供する。
さらに、上記のようなＰＯＳシステムにおいて、上記版権者側の装置に、上記データ複写装置からのカウントデータに基づいて課金を行なう手段を設けるとよい。
【００４３】
【実施例】
以下、この発明の実施例を図面に基づいて具体的に説明する。この発明のデータ複写装置の第１実施例について説明する。
図２はこの発明のデータ複写装置の外観図、図１はそのデータ複写装置の内部構成を示すブロック図、図３はそのデータ複写装置によるデータ複写処理を示すフローチャートである。
【００４４】
図２に示すように、この第１実施例のデータ複写装置は、２台のＣＤ−Ｒユニット１と２とがイーサネットケーブル等のインタフェースケーブル３によって接続されており、そのインタフェースケーブル３を介してＣＤ−Ｒユニット１と２との間で各種のデータをやり取りする。
【００４５】
図１に示すように、ＣＤ−Ｒユニット１は、２個の書き込み可能で書き換え不能な光ディスク用ドライブ（「ＣＤ−Ｒドライブ」と称する）４と５を有し、さらに、インタフェース（Ｉ／Ｆ）コントローラ８，コントローラ９，及びバッファ１０を備えている。
【００４６】
ＣＤ−Ｒドライブ４と５は、ＣＤ，ＣＤ−ＲＯＭ，ＣＤ−ＤＡ，及びＣＤ−Ｖ等の再生専用光ディスクからのデータの読み出しと、書き込み可能で書き換え不能なディスク（ＣＤ−Ｒ）に対するデータの書き込み及び読み出しを行なうドライブである。そして、装着されるディスクの種類に応じて役割を変えることができ、データの読み出しと書き込みの速度を変更することができる。
【００４７】
Ｉ／Ｆコントローラ８は、外部に接続されたＣＤ−Ｒユニット２との間のインタフェースケーブル３を介したデータの送受信を司る。
コントローラ９は、ＣＰＵ，ＲＯＭ，及びＲＡＭ等からなるマイクロコンピュータを内蔵し、このＣＤ−Ｒユニット全体の制御を司ると共に、この発明に係るデータの複写処理を行なう。バッファ１０は、複写対象のデータを一時的に格納するメモリである。
【００４８】
また、ＣＤ−Ｒユニット２は、２個の書き込み可能で書き換え不能な光ディスク用ドライブ（「ＣＤ−Ｒドライブ」と称する）６と７を有している。
そして、上述したＣＤ−Ｒユニット１と同じように、インタフェース（Ｉ／Ｆ）コントローラ，コントローラ，及びバッファを備えており、それらの機能は上述したものと同じである。
【００４９】
すなわち、上記ＣＤ−Ｒユニット１，２の各コントローラは、２個のＣＤ−Ｒドライブのいずれか１台に装着されたＣＤ（ソースメディア）のデータを読み出す手段と、その読み出されたデータを残りのＣＤ−Ｒドライブに装着されたターゲットメディアに書き込ませる手段と、そのターゲットメディアに対する書き込み速度よりも速い速度でソースメディアからのデータの読み出しを行なわせる読み書き速度制御手段の機能をそれぞれ果たす。
【００５０】
ＣＤ−Ｒユニット１のＣＤ−Ｒドライブ４にソースデータが記録されているソースメディアであるＣＤが装着され、ＣＤ−Ｒドライブ５にターゲットメディアであるＣＤ−Ｒが装着されると、コントローラ９はその装着された各メディアの種類を検出する。そして、その検出結果に基づいてＣＤ−Ｒドライブ４をソースメディアのデータを読み出すドライブに、ＣＤ−Ｒドライブ５をターゲットメディアにデータを書き込むドライブにそれぞれ役割を決定する。
【００５１】
コントローラ９は、その役割決定に基づいてＣＤ−Ｒドライブ４に対してデータを読み出すコマンドを出し、そのコマンドによってＣＤ−Ｒドライブ４から読み出されたソースデータをバッファ１０に格納する。
そのデータ読み出しの指示では、バッファ１０の記憶容量を越えないデータ量の読み出しを指示するとエラーを生じさせずに済む。
【００５２】
その後、コントローラ９は、バッファ１０に格納されたソースデータをＣＤ−Ｒドライブ５とＩ／Ｆコントローラ８へ転送する。
すると、ＣＤ−Ｒドライブ５はそのソースデータをＣＤ−Ｒに書き込み、Ｉ／Ｆコントローラ８はそのソースデータをＣＤ−Ｒユニット２へ送出する。
【００５３】
この際、コントローラ９は、ＣＤ−Ｒドライブ４を×２倍速リードモードで動作させ、一方のＣＤ−Ｒドライブ１１を×１倍速ライトモードで動作させて、ＣＤ−Ｒに対する書き込み速度よりも速い速度でＣＤからのデータの読み出しを行なわせるので、ソースデータを滞り無くターゲットメディアに複写することができる。
【００５４】
一方、ＣＤ−Ｒユニット２では、そのＣＤ−Ｒドライブ６と７にそれぞれＣＤ−Ｒが装着されると、コントローラがその装着されたメディアの種類を検出して、その種類に基づいて各ＣＤ−Ｒドライブ６，７に対してターゲットメディアにデータを書き込むドライブの役割を決定し、Ｉ／Ｆコントローラに対してＣＤ−Ｒユニット１から送信されるデータの受信準備を行なわせる。
【００５５】
そして、Ｉ／ＦコントローラがＣＤ−Ｒユニット１から送信されるデータを受信すると、コントローラはそのデータをバッファに蓄積し、そのデータの受信終了時点でＣＤ−Ｒドライブ６と７へ転送し、ＣＤ−Ｒドライブ６と７はそれぞれ装着されたＣＤ−Ｒにそのデータを書き込む。
【００５６】
さらに、このデータ複写処理について説明する。ここでは上記ＣＤ−Ｒユニット１の処理を説明するが、ＣＤ−Ｒユニット２でも同じような処理を行なうのでその説明は省略する。図３に示すように、ステップ（図中「Ｓ」で示す）１で外部に他のＣＤ−Ｒユニットがつながっているか否かを判断する。
そして、つながっていなければそのままステップ２へ進み、つながっていれば（この場合はＣＤ−Ｒユニット２）ステップ１２へ進んで連携モードで動作するフラグを立ててステップ２へ進む。
【００５７】
ステップ２ではＣＤ−Ｒドライブ４と５にメディアが装着されたか否かを判断して、装着されたらステップ３へ進んでいずれか一方はＣＤか否かを判断する。そして、その判断でいずれか一方がＣＤならマスタモードを設定し、ステップ４へ進んで連携モードフラグを参照して外部に他のＣＤ−Ｒユニット有りか否かを判断する。
【００５８】
ステップ４の判断で外部に他のＣＤ−Ｒユニットが接続されていなければ、スタンドアロンモードを設定し、ステップ５へ進んでＣＤに記録されたデータを読み出し、ステップ６へ進んでその読み出したデータをＣＤ−Ｒに書き込む。
そして、ステップ７へ進んでＣＤのデータが終了したか否かを判断して、ＣＤのデータを全て読み出してＣＤ−Ｒに記録するまでステップ５〜７の処理を繰り返し、ＣＤのデータが終了したらこのデータ複写処理を終了する。
【００５９】
また、ステップ４の判断で外部に他のＣＤ−Ｒユニットが接続されていれば、連携モードを設定して、ステップ８へ進んでＣＤのデータを読み出し、ステップ９へ進んでそのデータをＣＤ−Ｒに書き込む。
そして、ステップ１０へ進んでＣＤから読み出したデータをＩ／Ｆコントローラを介してスレーブマシン（この場合はＣＤ−Ｒユニット２）へ送出する。
【００６０】
その後、ステップ１１へ進んでＣＤのデータが終わりか否かを判断して、終わりでなければ上述の処理に戻り、ＣＤのデータを全て読み出してＣＤ−Ｒに記録及びスレーブマシンへ送出するまでステップ８〜１１の処理を繰り返し、ＣＤのデータが終了したらこのデータ複写処理を終了する。
【００６１】
また、ステップ３の判断でいずれもＣＤでなければスレーブモードを設定し、ステップ１３へ進んでマスタマシン（この場合はＣＤ−Ｒユニット２）から送信されるデータを受信して、ステップ１４へ進んでそのデータをＣＤ−Ｒに書き込む。そして、ステップ１５へ進んでＣＤのデータが終わりか否かを判断して、ＣＤのデータを全て受信してＣＤ−Ｒに記録するまでステップ１３〜１５の処理を繰り返し、ＣＤのデータが終了したらこのデータ複写処理を終了する。
【００６２】
なお、ＣＤが２枚以上誤装着された場合、例えば、ＣＤ−Ｒユニット１のＣＤ−Ｒドライブ４，５にそれぞれＣＤが装着されたとき、コントローラ９はそれを検出して両方のＣＤの排出を指示するとよい。
また、ＣＤ−Ｒユニット１と２のＣＤ−Ｒドライブにそれぞれ１枚づつＣＤが装着されたとき、コントローラがＩ／Ｆコントローラを介して相手のデータ複写装置に対してＣＤが装着していることを通知し、その通知を受け取ったＣＤ−Ｒユニットのコントローラが自装置のＣＤを排出するようにするとよい。
【００６３】
このようにして、この実施例のデータ複写装置では、ＣＤ−Ｒドライブを、ソースディスクからデータの読み出すドライブ、又はソースディスクから読み出されたデータをターゲットディスクに書き込むドライブのいずれにも共通して使用することができる。つまり、マスタマシンとスレーブマシンを共通化することができ、その共通化によって装置の製作時のコストダウンと在庫の適正化を容易に図ることができる。
【００６４】
次に、この発明のデータ複写装置の第２実施例について説明する。図４はこの実施例のデータ複写装置の外観図、図５はそのデータ複写装置の内部構成を示すブロック図、図６はそのデータ複写装置によるデータ複写処理を示すフローチャートである。
【００６５】
図４に示すように、このデータ複写装置は、１台づつ相互に着脱可能なモジュールに分割されたＣＤ−Ｒユニット１１と１２とがイーサネット等のインタフェースケーブル３によって接続されている。
そして、そのインタフェースケーブル１３を介してＣＤ−Ｒユニット１１と１２との間で各種のデータをやり取りする。
【００６６】
図５に示すように、ＣＤ−Ｒユニット１１は、１台のＣＤ−Ｒドライブ１４を有し、さらに、Ｉ／Ｆコントローラ１６，コントローラ１７，及びバッファ１８を備えている。ＣＤ−Ｒドライブ１４は、ＣＤ，ＣＤ−ＲＯＭ，ＣＤ−ＤＡ，及びＣＤ−Ｖ等の再生専用光ディスクからのデータの読み出しと、ＣＤ−Ｒに対するデータの書き込み及び読み出しを行なうドライブである。
そして、装着されるディスクの種類に応じて役割を変えることができ、データの読み出しと書き込みの速度を変更することができる。
【００６７】
Ｉ／Ｆコントローラ１６は、外部に接続されたＣＤ−Ｒユニット１２との間のインタフェースケーブル１３を介したデータの送受信を司る。
コントローラ１７は、ＣＰＵ，ＲＯＭ，及びＲＡＭ等からなるマイクロコンピュータを内蔵し、このＣＤ−Ｒユニット全体の制御を司ると共に、この発明に係るデータの複写処理を行なう。バッファ１８は、複写対象のデータを一時的に格納するメモリである。
【００６８】
また、ＣＤ−Ｒユニット１２は、１個のＣＤ−Ｒドライブ１５を有し、上述したＣＤ−Ｒユニット１１と同じように、Ｉ／Ｆコントローラ，コントローラ，及びバッファを備えており、それらの機能は上述したものと同じである。
【００６９】
すなわち、上記ＣＤ−Ｒユニット１１と１２の各コントローラが、装着されたメディアの種類に基づいてソースメディアのデータを読み出すＣＤ−Ｒドライブか、そのＣＤ−Ｒドライブによって読み出されたデータをターゲットメディアに書き込むＣＤ−Ｒドライブかのいずれかの役割を自動的に決定する手段の機能を果たす。
【００７０】
次に、このＣＤ−Ｒユニットにおけるデータ複写処理について説明する。
ここでは上記ＣＤ−Ｒユニット１１における処理を説明するが、ＣＤ−Ｒユニット１２でも同じような処理を行なうのでその説明を省略する。
図６に示すように、ステップ（図中「Ｓ」で示す）２１で外部に他のＣＤ−Ｒユニットがつながっているか否かを判断する。
【００７１】
そして、つながっていなければそのままステップ２２へ進み、つながっていれば（この場合はＣＤ−Ｒユニット１２）ステップ２７へ進んで連携モードで動作するフラグを立ててステップ２２へ進む。
ステップ２２ではＣＤ−Ｒドライブ１４にメディアイン（メディアが装着）されたか否かを判断し、装着されたらステップ２３へ進んでそのメディアの種類がＣＤかＣＤ−Ｒかを判断する。
【００７２】
そして、ＣＤならマスタモードを設定してソースメディアからデータを読み出すモジュールの役割であることを自動的に決定する。
その後、ステップ２４へ進んでＣＤに記録されたデータを読み出し、ステップ２５へ進んでそのデータをＩ／Ｆコントローラを介してスレーブマシン（この場合はＣＤ−Ｒユニット１２）へ送出する。
【００７３】
そして、ステップ２６へ進んでＣＤに記録されているソースデータの読み出しが終わりか否かを判断して、終わりでなければ上述の処理へ戻り、ＣＤのソースデータを全て読み出してスレーブマシンへ送出し終えるまでステップ２４〜２６の処理を繰り返し、ＣＤのソースデータが終了したらこのデータ複写処理を終了する。
【００７４】
また、ステップ２３の判断で装着されたメディアの種類がＣＤ−Ｒなら連携モードフラグを参照し、外部に他のＣＤ−Ｒユニットが接続されていればスレーブモードを設定し、ターゲットメディアにソースデータを書き込むモジュールの役割であることを自動的に決定する。
【００７５】
そして、ステップ２８へ進んでマスタマシン（この場合はＣＤ−Ｒユニット１２）から送信されるソースデータを受信して、ステップ２９へ進んでそのソースデータをＣＤ−Ｒに書き込む。
その後、ステップ３０へ進んでＣＤのソースデータの受信が終わりか否かを判断して、終わりでなければ上述の処理へ戻り、ＣＤのデータを全て受信してＣＤ−Ｒに記録するまでステップ２８〜３０の処理を繰り返し、ＣＤのデータが終了したらこのデータ複写処理を終了する。
【００７６】
このようにして、この実施例のデータ複写装置では、ユーザが必要な台数だけＣＤ−Ｒユニットを接続することができ、その各々にソースメディアとターゲットメディアを装着するだけでソースメディアのソースデータをターゲットメディアにコピーすることができる。
したがって、ソースメディアのデータを読み出すモジュールに対してターゲットディスクを装着するターゲットドライブを必要な台数だけ容易に増設することができ、データ複写装置の拡張を容易に行なえる。
【００７７】
また、各モジュールを接続するインタフェースケーブルをイーサネットにすれば、ソースメディアを装着したモジュールからターゲットメディアを装着した複数のモジュールへ一度にソースデータを転送することができる。したがって、短時間で複数個のメディアコピーを行なうことができ、大変便利である。
【００７８】
次に、この発明のデータ複写装置の第３実施例について説明する。図７はこの実施例のデータ複写装置の外観図、図８はそのデータ複写装置の内部構成を示すブロック図、図９はそのデータ複写装置によるデータ複写処理を示すフローチャートである。
【００７９】
図７に示すように、このデータ複写装置は、１台づつ相互に着脱可能なモジュールに分割されたＣＤ−Ｒユニット２０ａにＣＤ−Ｒユニット２０ｂと２０ｃとがイーサネット等のインタフェースケーブル３によって接続されている。
そして、そのインタフェースケーブル３を介してＣＤ−Ｒユニット２０ａとＣＤ−Ｒユニット２０ｂ及び２０ｃとの間で各種のデータをやり取りする。
【００８０】
また、各ＣＤ−Ｒユニット２０ａ，２０ｂ，２０ｃは、それぞれＣＤ−Ｒドライブ２１ａ，２１ｂ，２１ｃを備えており、それに装着されたソースメディアのソースデータを読み出し、ターゲットメディアにソースデータを書き込む。
さらに、各ＣＤ−Ｒユニット２０ａ，２０ｂ，２０ｃの上面には、押しボタンスイッチ２２ａ，２２ｂ，２２ｃが設けられ、その押しボタンスイッチに対応する下面側の位置には押下キー２３ａ，２３ｂ，２３ｃが設けられている。
【００８１】
ＣＤ−Ｒユニット２０ａと２０ｂと２０ｃをこの順番で上から積み重ねて、ＣＤ−Ｒユニット２０ａの押下キー２３ａがＣＤ−Ｒユニット２０ｂの押しボタンスイッチ２２ｂを押下し、ＣＤ−Ｒユニット２０ｂの押下キー２３ｂがＣＤ−Ｒユニット２０ｃの押しボタンスイッチ２２ｃを押下するように組み合わせる。
【００８２】
このようにすることにより、一番上に位置するＣＤ−Ｒユニット２０ａをソースメディアのデータを読み出すドライブの役割を割り当て、その下に位置するＣＤ−Ｒユニット２０ｂと２０ｃをターゲットメディアにソースデータを書き込むドライブの役割を割り当てることができる。
【００８３】
さらにまた、各ＣＤ−Ｒユニット２０ａ，２０ｂ，２０ｃの下面には、その装置の脚２４ａ，２４ｂ，２４ｃ（図示を省略するがその他に２個有り）を押下キー２３ａ，２３ｂ，２３ｃと同じ脚長となるように設けている。
その各脚２４ａ，２４ｂ，２４ｃに対応する上面側の位置には、その脚を収納する嵌合部２５ａ，２５ｂ，２５ｃ（図示を省略するがその他に２個有り）も設けており、ＣＤ−Ｒユニットを積み重ねたときに傾かないように工夫している。
【００８４】
ＣＤ−Ｒユニット２０ｂは、図８に示すように、１台のＣＤ−Ｒドライブ２１ｂを有し、さらに、Ｉ／Ｆコントローラ２６，コントローラ２７，バッファ２８，及び押しボタンスイッチ検知部２９を備えている。
【００８５】
ＣＤ−Ｒドライブ２１ｂは、ＣＤ，ＣＤ−ＲＯＭ，ＣＤ−ＤＡ，及びＣＤ−Ｖ等の再生専用型光ディスクからのデータの読み出しと、ＣＤ−Ｒに対するデータの書き込み及び読み出しを行なうドライブである。
そして、コントローラ２７の指示にしたがって、装着されるディスクの種類に応じて役割を変えることができ、データの読み出しと書き込みの速度を変更することができる。
【００８６】
Ｉ／Ｆコントローラ２６は、外部に接続されたＣＤ−Ｒユニットとの間のインタフェースケーブル３を介したデータの送受信を司る。
コントローラ２７は、ＣＰＵ，ＲＯＭ，及びＲＡＭ等からなるマイクロコンピュータを内蔵し、このＣＤ−Ｒユニット全体の制御を司ると共に、この発明に係るデータの複写処理を行なう。バッファ２８は、複写対象のデータを一時的に格納するメモリである。
押しボタンスイッチ検知部２９は、押しボタンスイッチ２２ｂが押下されたか否かを検知してコントローラ２７へ通知する。
【００８７】
また、ＣＤ−Ｒユニット２０ａと２０ｃのユニットも、上述のＣＤ−Ｒユニット２１ｂと同じように、ＣＤ−Ｒドライブと共にＩ／Ｆコントローラ，コントローラ，バッファ，及び押しボタンスイッチ検知部を備えており、それらの機能は上述したものと同じである。
【００８８】
すなわち、上記各ＣＤ−Ｒユニット２０ａ，２０ｂ，２０ｃのコントローラが、他のモジュールとデータのやり取りを可能に接続する手段と、他のＣＤ−Ｒユニットとの組合せ位置に基づいてソースメディアのデータを読み出すＣＤ−Ｒドライブと、そのＣＤ−Ｒドライブによって読み出されたデータをターゲットメディアに書き込むＣＤ−Ｒドライブのいずれかの役割を自動的に決定する手段の機能を果たす。
【００８９】
次に、このデータ複写装置におけるデータ複写処理について説明する。
ここでは、ＣＤ−Ｒユニット２０ａと２０ｂとの間の処理を説明するが、ＣＤ−Ｒユニット２０ａと２０ｃとの間でも同じような処理を行なうので、その説明を省略する。
【００９０】
図９に示すように、モジュールの組み合わせ位置からソース側ドライブは、ステップ（図中「Ｓ」で示す）３１で押しボタンスイッチがＯＮか否かを判断して、この場合はＯＮではないからステップ３２へ進んでマスタモードを設定して、ソースメディアのデータを読み出すモジュールの役割を決定する。
【００９１】
そして、ステップ３３へ進んでＣＤ−Ｒドライブに装着されたソースメディアからソースデータを読み出して他のモジュールへ出力し、ステップ３４へ進んでデータの出力が終了か否かを判断して、終了でなければ再びステップ３３の処理に戻ってソースデータの読み出しと出力を繰り返し、終了ならばこの処理を終了する。
【００９２】
一方、ターゲット側のドライブは、ステップ３５で押しボタンスイッチがＯＮか否かを判断して、この場合はＯＮだからステップ３６へ進んでスレーブモードを設定して、ターゲットメディアにソースデータを書き込むモジュールの役割を決定する。
【００９３】
そして、ステップ３７へ進んでソース側のドライブから送信されるソースデータを受信して、ＣＤ−Ｒドライブに装着されたターゲットメディアに書き込み、ステップ３８へ進んで全データの書き込みが終了か否かを判断して、終了でなければ再び前述の処理に戻ってソースデータの受信とターゲットメディアへの書き込みを繰り返し、終了ならばこの処理を終了する。
【００９４】
なお、上述の実施例では各モジュールを縦積みする場合について説明したが、各モジュールの側面に押下キーを設け、その押下キーに対応する位置に押しボタンスイッチも設けて、各モジュールの側面を密着させて横並びに組み合わせて、最も端に位置する一方のモジュールをソースドライブに、その他のモジュールをターゲットドライブにそれぞれ割り当てるように決定してもよい。
【００９５】
このようにして、この実施例のデータ複写装置は、各モジュールが他のモジュールとの組み合せ位置に基づいてソースメディアのデータを読み出すモジュールの役割か、そのモジュールによって読み出したデータをターゲットメディアに書き込むモジュールの役割かを自動的に決定するので、各モジュールの役割設定を行なう必要がなく、データ複写装置を必要な台数のモジュールによって容易に構成することができる。
【００９６】
したがって、各ユニットの役割分担をその幾何学的な位置関係によって決定することができる。ユーザは、各ユニットの役割を視覚によって容易に把握することができる。また、各ユニットを組み合わせた段階で各ユニットの役割分担が決定するので、メディアの挿入を待たずに各ユニットのそれぞれの役割を果たす機能を初期化しておくことができ、メディアを挿入してから初期化までの時間を短縮することができる。さらに、各ユニットの組み合わせ位置によって自動的に役割分担が決定されるので、ユーザがスイッチ等の手段によって役割を設定する必要が無く、大幅に使い勝手を良くすることができる。
【００９７】
次に、この発明のデータ複写装置の第４実施例について説明する。図１０はこの実施例のデータ複写装置の構成を示すブロック図、図１１はそのデータ複写装置によるデータ複写処理を示すフローチャートである。
【００９８】
図１０に示すように、このデータ複写装置は、２個のＣＤ−Ｒドライブ３０と３１と、マルチトラックテープドライブ（ＭＴドライブ）３２と、Ｉ／Ｆコントローラ３３と、コントローラ３４と、バッファ３５と、ハードディスク装置（ＨＤＤ）３６がそれぞれバスを介して接続されており、そのバスを介して各種のデータをやり取りする。
【００９９】
そして、ＭＴドライブ３２に装着されたＭＴのソースデータをＣＤ−Ｒドライブ３０と３１にそれぞれ装着されたＣＤ−Ｒに複写したり、ＣＤ−Ｒドライブ３０又は３１に装着されたＣＤ−ＲのソースデータをＭＴドライブ３２に装着されたＭＴに複写したりすることができる。
【０１００】
ＣＤ−Ｒドライブ３０と３１は、ＣＤ，ＣＤ−ＲＯＭ，ＣＤ−ＤＡ，及びＣＤ−Ｖ等の再生専用光ディスクからのデータの読み出しと、ＣＤ−Ｒに対するデータの書き込み及び読み出しを行なうドライブである。そして、コントローラ３４の指示にしたがって、装着されるディスクの種類に応じて役割を変えて、データの読み出しと書き込みの速度を変更する。
【０１０１】
ＭＴドライブ３２は、９トラックＭＴ，８ｍｍ，ＤＡＴ等のテープメディアにデータを記録及びその記録されたデータを再生するダイレクトアクセス装置である。Ｉ／Ｆコントローラ３３は、外部に接続されたデータ複写装置との間のインタフェースケーブルを介したデータの送受信を司る。
【０１０２】
コントローラ３４は、ＣＰＵ，ＲＯＭ，及びＲＡＭ等からなるマイクロコンピュータを内蔵し、このデータ複写装置全体の制御を司ると共に、この発明に係るデータの複写処理を行なう。バッファ３５は、各種のデータを一時的に格納するメモリである。
【０１０３】
ＨＤＤ３６は、コントローラ３４がＭＴドライブ３２に装着されたＭＴから読み出したソースデータのフォーマットをＣＤ−Ｒドライブ３０と３１にそれぞれ装着されたＣＤ−Ｒに記録可能なフォーマットに変換するとき、又はＣＤ−Ｒドライブ３０又は３１に装着されたＣＤ−Ｒから読み出したソースデータのフォーマットをＭＴドライブ３２に装着されたＭＴに記録可能なフォーマットに変換するときのワーク用のメモリである。
【０１０４】
すなわち、上記コントローラ３４は、ＭＴドライブ３２に装着されたソースメディアに記録されている記録フォーマットを検出する手段と、その検出された記録フォーマットに基づいてソースメディアからデータを読み出させる手段と、その読み出されたデータをＣＤ−Ｒドライブ３０と３１にそれぞれ装着されたターゲットメディアに記録可能なフォーマットに変換する手段と、その変換されたデータをＣＤ−Ｒドライブ３０と３１に装着されたそれぞれのターゲットメディアに書き込ませる手段の機能を果たす。
【０１０５】
また、ＣＤ−Ｒドライブ３０又は３１に装着されたソースメディアからデータを読み出させる手段と、ＭＴドライブ３２に装着されたターゲットメディアにデータを記録するときの記録フォーマットを設定する手段と、その設定された記録フォーマットに基づいてソースメディアから読み出されたデータをターゲットメディアに記録可能なフォーマットに変換する手段と、その変換されたデータをＭＴドライブ３２に装着されたターゲットメディアに書き込ませる手段の機能も果たす。
【０１０６】
次に、このデータ複写装置におけるデータ複写処理について説明する。
まず、ＭＴドライブ３２に装着されたソースメディアのデータをＣＤ−Ｒドライブ３０と３１に装着されたターゲットドライブに複写するときの処理についてて説明する。
【０１０７】
この処理は、コントローラ３４がＭＴドライブ３２に装着されたソースメディア、例えばマルチトラックテープ（ＭＴ）に記録されているデータの記録フォーマットを検出し、その検出した記録フォーマットに基づいてＭＴからデータを読み出させてＨＤＤ３６に格納する。
【０１０８】
そして、そのＨＤＤ３６に格納されたデータのフォーマットを、ＣＤ−Ｒドライブ３０と３１に装着されたターゲットメディアであるＣＤ−Ｒに記録可能なフォーマットに変換した後、ＣＤ−Ｒドライブ３０と３１へそれぞれ転送し、ＣＤ−Ｒドライブ３０と３１に装着されたそれぞれのＣＤ−Ｒに書き込ませる。
【０１０９】
さらに、この複写処理について説明する。図１１に示すように、ステップ（図中「Ｓ」で示す）４１で外部に他のデータ複写装置がつながっているか否かを判断する。そして、つながっていなければそのままステップ４２へ進み、つながっていればステップ４８へ進んで連携モードで動作するフラグを立ててステップ４２へ進む。
【０１１０】
ステップ４２では２台のＣＤ−ＲドライブにＣＤ−Ｒが、ＭＴドライブにＭＴがそれぞれメディアイン（メディアが装着）されたか否かを判断して、装着されたら記録フォーマットを検出し、ステップ４３へ進んでその検出した記録フォーマットに基づいてＭＴからデータを読み出してＨＤＤに格納する。
そして、ステップ４４へ進んでＨＤＤに格納されたデータをＣＤ−Ｒフォーマットへ変換し、ステップ４５へ進んで連携モードフラグを参照して連携モードか否かを判断する。
【０１１１】
一方、ステップ４５の判断で連携モードでなければ、ステップ４６へ進んでＣＤ−ＲにＨＤＤのデータを書き込む。そして、ステップ４７へ進んでＨＤＤのデータが終わりか否かを判断して、終わりでなければ再び上述した処理へ戻り、ＨＤＤのデータを全て読み出して各ＣＤ−Ｒに記録するまでステップ４５〜４７の処理を繰り返して、ＨＤＤからのデータの読み出しと記録が終了したらこのデータ複写処理を終了する。
また、ステップ４５の判断で連携モードなら、ステップ４９へ進んでＩ／ＦコントローラへＨＤＤのデータを転送し、外部に接続されたデータ複写装置へ送出し、ステップ４６へ進んでＣＤ−ＲにＨＤＤのデータを書き込む。
【０１１２】
そして、ステップ４７へ進んでＨＤＤのデータが終わりか否かを判断して、終わりでなければ再び上記の処理へ戻り、ＨＤＤのデータを全て読み出して外部のデータ複写装置へ送出してＣＤ−Ｒに記録するまでステップ４５〜４７，及び４９の処理を繰り返し、ＨＤＤのデータが終了したらこのデータ複写処理を終了する。このようにして、ＭＴにバックアップされているデータを容易にＣＤ−Ｒへ書き移すことができる。
【０１１３】
次に、ＣＤ−Ｒドライブ３０又は３１に装着されたＣＤのソースデータをＭＴドライブ３２に装着されたＭＴに複写する場合の処理について説明する。
この処理は、コントローラ３４が、例えばＣＤ−Ｒドライブ３０に装着されたＣＤ−Ｒに記録されているソースデータを読み出してＨＤＤ３６に格納する。
そして、それをＭＴドライブ３２に装着されたＭＴに記録可能なフォーマットに変換してＭＴドライブ３２へ転送する。そしてＭＴドライブ３２は装着されたＭＴにそのソースデータを書き込む。
【０１１４】
なお、上述の実施例ではダイレクトアクセス装置としてＭＴドライブを有する場合について説明したが、それに代えて他のテープ記録装置やリムーバブルハードディスク装置や光磁気ディスク装置を有する場合でもこの発明に係るデータ複写処理を同じように実施することができる。
また、上述のような各種のダイレクトアクセス装置を複数種類有するようにしてもこの発明に係るデータ複写処理を同じように実施することができる。さらに、ＣＤ−Ｒドライブを１台有するような装置構成にしても良い。
【０１１５】
したがって、この実施例のデータ複写装置では、ＣＤ−ＲＯＭ等の書き込み可能型光ディスク以外のテープ，ハードディスク，及び光磁気ディスク等のメディアに記録されたデータをもＣＤ−Ｒに容易に複写することができる。また、ＣＤに記録されているデータをテープ，ハードディスク，及び光磁気ディスク等のメディアに容易に複写することもできる。
【０１１６】
次に、この発明のデータ複写装置の第５実施例について説明する。図１２はこの実施例のデータ複写装置の構成を示すブロック図、図１３はそのデータ複写装置によるデータ複写処理を示すフローチャートである。図１２では図１０に示したデータ複写装置と共通する部分には同一符号を付している。
【０１１７】
図１２に示すように、このデータ複写装置は、新たにＭＴフォーマット指定スイッチ３７を備えており、ＣＤ−Ｒドライブに装着されたソースメディアのソースデータを読み出し、そのソースデータのフォーマットをＭＴフォーマット指定スイッチ３７によって設定された論理フォーマットに変換し、それをＭＴドライブに装着されたターゲットメディアに書き込む。つまり、ＣＤ−Ｒに記録されているデータを所望の論理フォーマットでＭＴに複写することができる。
【０１１８】
このデータ複写装置は、上記コントローラ３４が、ＣＤ−Ｒドライブ３０又は３１に装着されたソースメディアに記録されているソースデータを読み出させる手段と、そのソースデータをＭＴドライブ３２に装着されたターゲットメディアに記録するときの記録フォーマットを設定する手段と、その設定した記録フォーマットに基づいてソースデータをターゲットメディアに記録可能なフォーマットに変換する手段と、その変換されたデータをターゲットメディアに書き込ませる手段の各機能を果たす。
【０１１９】
次に、このデータ複写装置におけるデータ複写処理について説明する。
この処理は、図１３のフローチャートに示すように、ステップ（図中「Ｓ」で示す）５１で記録時の論理フォーマットが設定済みか否かを判断して、設定済みならステップ５２へ進んでソースデータを読み出してＨＤＤに格納し、ステップ５３へ進んでその指定された論理フォーマットに変換する。
【０１２０】
その後、ステップ５４へ進んでフォーマットを変換したソースデータをターゲットメディアへ書き込み、ステップ５５へ進んで書き込み終了か否かを判断して、書き込み終了でなければステップ５４へ戻って全てのソースデータを書き込むまでこの処理を繰り返し、書き込み終了ならこの処理を終了する。
【０１２１】
さらにこの処理について説明する。この処理は、コントローラ３４がＣＤ−Ｒドライブ３０又は３１にＣＤ−Ｒが、ＭＴドライブ３２にＭＴがそれぞれ装着され、ＭＴフォーマット指定スイッチ３７による記録時の論理フォーマットの指定があると、ＣＤ−Ｒのデータの有無を検出する。
【０１２２】
そして、データが有ればＣＤ−Ｒドライブに対してそのデータを読み出させてＨＤＤ３６へ格納し、それを指定された論理フォーマットに変換する。
その後、ＨＤＤ３６に格納されているソースデータを読み出してＭＴドライブ３２へ転送し、ＭＴドライブ３２に装着されているＭＴに書き込ませる。
【０１２３】
このようにして、この実施例のデータ複写装置では、ＣＤ，ＣＤ−Ｒ等の光ディスクメディアに記録されたデータを光ディスク以外のメディアであるテープ，ハードディスク，及び光磁気ディスク等のメディアにも容易に複写することができる。
【０１２４】
なお、上述の実施例ではダイレクトアクセス装置としてＭＴドライブを有する場合について説明したが、それに代えて他のテープ記録装置やリムーバブルハードディスク装置や光磁気ディスク装置を有する場合でもこの発明に係るデータ複写処理を同じように実施することができる。
また、上述のような各種のダイレクトアクセス装置を複数種類有するようにしてもこの発明に係るデータ複写処理を同じように実施することができる。さらに、ＣＤ−Ｒドライブを１台有するような装置構成にしても良い。
【０１２５】
次に、この発明のデータ複写装置の第６実施例について説明する。
図１４はこの実施例のデータ複写装置の外観図、図１５はそのデータ複写装置の内部構成を示すブロック図、図１６はそのデータ複写装置によるデータ複写処理を示すフローチャートである。図１５ではＣＤ−Ｒユニットを１台だけ示し、もう一方のユニットを省略しているが共に同じ構成である。
【０１２６】
図１４に示すように、このデータ複写システムは、１台づつ相互に着脱可能なモジュールに分割されたダイレクトアクセス装置であるテープ記録装置のＭＴユニット４０とデータ複写装置であるＣＤ−Ｒユニット５０と５５とからなる。
ＭＴユニット４０とＣＤ−Ｒユニット５０と５５とは、イーサネットケーブル等のインタフェースケーブル３を介して接続されている。
そして、ＭＴユニット４０とＣＤ−Ｒユニット５０と５５との間で、そのインタフェースケーブル３を介して各種のデータをやり取りする。
【０１２７】
ＭＴユニット４０のＭＴドライブ４１にソースデータが記録されているＭＴが装着されたとき、そのソースデータを自動的にＣＤ−Ｒユニット５０，５５にそれぞれ装着されたＣＤ−Ｒに複写することができる。
また、ＣＤ−Ｒユニット５０又は５５にソースデータが記録されているＣＤ−Ｒが装着されたとき、そのソースデータを自動的にＭＴユニット４０のＭＴドライブ４１に装着されたＭＴに複写することができる。
【０１２８】
図１５に示すように、ＭＴユニット４０は、ＭＴドライブ４１とＨＤＤ４２とＭＴフォーマット指定スイッチ４３とＩ／Ｆコントローラ４４とコントローラ４５とバッファ４６を備えている。
ＭＴドライブ４１は、９トラックＭＴ，８ｍｍ，ＤＡＴ等のテープメディアに対するデータの書き込み及び読み出しを行なう。
【０１２９】
ＨＤＤ４２は、ＭＴドライブ４１のソースメディアのＭＴから読み出したソースデータのフォーマットを、ＣＤ−Ｒユニット５０のＣＤ−Ｒドライブ５１とＣＤ−Ｒユニット５５のＣＤ−Ｒドライブ５６にそれぞれ装着されたターゲットメディアのＣＤ−Ｒに記録するときのフォーマット（物理及び論理フォーマット）に変換するときのワーク用のメモリである。
【０１３０】
ＭＴフォーマット指定スイッチ４３は、ユーザがターゲットメディアのＭＴにソースデータを記録するときの論理フォーマット（例えば、ＵＮＩＸのＴＡＲ形式，又はべた書き等の各種の形式）を選択するキーである。
Ｉ／Ｆコントローラ４４は、外部に接続されたＣＤ−Ｒユニット５０と５５との間のインタフェースケーブルを介したデータの送受信を司る。
【０１３１】
コントローラ４５は、ＣＰＵ，ＲＯＭ，及びＲＡＭ等からなるマイクロコンピュータを内蔵し、このテープ記録装置全体の制御を司ると共に、この発明に係るデータの複写処理を行なう。バッファ４６は、各種のデータを一時的に格納するメモリである。
【０１３２】
一方、ＣＤ−Ｒユニット５０は、ＣＤ−Ｒドライブ５１とＩ／Ｆコントローラ５２とコントローラ５３とバッファ５４を備えている。
ＣＤ−Ｒドライブ５１は、ＣＤ，ＣＤ−ＲＯＭ，ＣＤ−ＤＡ，及びＣＤ−Ｖ等の再生専用光ディスクからのデータの読み出しと、ＣＤ−Ｒに対するデータの書き込み及び読み出しを行なうドライブである。そして、装着されるディスクの種類に応じて役割を変えて、データの読み出しと書き込みの速度を変更する。
【０１３３】
Ｉ／Ｆコントローラ５２は、外部に接続されたＭＴユニット４０との間のインタフェースケーブルを介したデータの送受信を司る。コントローラ５３は、ＣＰＵ，ＲＯＭ，及びＲＡＭ等からなるマイクロコンピュータを内蔵している。
そして、このデータ複写装置全体の制御を司ると共に、この発明に係るデータの複写処理を行なう。バッファ５４は、複写対象のデータ等の各種のデータを一時的に格納するメモリである。
【０１３４】
すなわち、上記コントローラ５３が、ＣＤ−Ｒドライブ５１に装着されたソースメディアからデータを読み出させる手段の機能を果たし、上記コントローラ４５が、ＭＴドライブ４１に装着されたターゲットメディアにデータを記録するときの記録フォーマットを設定する手段と、その設定された記録フォーマットに基づいてソースメディアから読み出されたデータをターゲットメディアに記録可能なフォーマットに変換する手段と、その変換されたデータをＭＴドライブ４１に装着されたターゲットメディアに書き込ませる手段の機能を果たす。
【０１３５】
また、上記コントローラ４５が、ＭＴドライブ４１に装着されたソースメディアに記録されている記録フォーマットを検出する手段と、その検出された記録フォーマットに基づいてソースメディアからデータを読み出させる手段の機能を果たし、上記コントローラ５３がその読み出されたデータをＣＤ−Ｒドライブ５１に装着されたターゲットメディアに記録可能なフォーマットに変換する手段と、その変換されたデータをＣＤ−Ｒドライブ５１に装着されたターゲットメディアのＣＤ−Ｒに書き込ませる手段の機能を果たす。
【０１３６】
さらに、上記コントローラ４５と５３は、他のモジュールとデータのやり取りを可能に接続する手段と、装着されたメディア上のデータの有無に基づいてソースメディアのデータを読み出すモジュールと、他のモジュールによって読み出されたデータをターゲットメディアに書き込むモジュールとのいずれかの役割を自動的に決定する手段の機能を果たす。
【０１３７】
次に、このデータ複写装置におけるデータ複写処理について説明する。
この処理は、図１６のフローチャートに示すように、ＭＴユニットは、ステップ（図中「Ｓ」で示す）６１でＭＴのデータの有無を調べ、ステップ６２へ進んでデータ有りか否かを判断して、データが記録されていなければスレーブモードの処理に移行するが、データが記録されていればステップ６３へ進んでマスタモードを設定し、そのマスタモードを示す情報をＣＤ−Ｒユニットへ通知する。
【０１３８】
一方、ＣＤ−Ｒユニットは、ステップ７１でＣＤ−Ｒのデータの有無を調べ、ステップ７２へ進んでデータ有りか否かを判断して、データ有りならマスタモードの処理へ移行するが、データが記録されていなければステップ７３へ進んでスレーブモードを設定し、そのスレーブモードの情報をＭＴユニットへ出力する。
【０１３９】
ＭＴユニットは、ＣＤ−Ｒユニットからスレーブモード情報を受け取ると、ステップ６４でＭＴからデータを読み出してそのＣＤ−Ｒユニットへ出力し、ステップ６５へ進んでデータの読み出しと出力が終了したか否かを判断して、終了でなければ再び６４の処理を繰り返し、全てのデータを読み出して出力したら、この処理を終了する。
【０１４０】
一方、ＣＤ−Ｒユニットは、ＭＴユニットからデータを受信するとステップ７４でそのデータのフォーマットをＣＤ−Ｒに記録可能なフォーマットに変換し、ステップ７５へ進んでＣＤ−Ｒに書き込み、ステップ７６へ進んでデータの書き込みが終了したか否かを判断して、終了でなければ再びステップ７５の処理を繰り返し、全てのデータの書き込みを終えたら、この処理を終了する。
【０１４１】
さらにこの処理について説明する。ＭＴユニット４０のコントローラ４５は、ＭＴドライブ４１に装着されたテープメディアであるＭＴを調べ、そのテープ上に記録されているデータを検出したときには、自装置にマスタモードを設定し、Ｉ／Ｆコントローラ４４を介してＣＤ−Ｒユニット５０と５５へ自装置がソースメディアのデータを読み出すモジュールであることを示す情報を通知する。
【０１４２】
一方、ＣＤ−Ｒユニット５０は、コントローラ５３がＣＤ−Ｒドライブ５１に装着されたディスクメディアのＣＤ−Ｒを調べ、そのＣＤ−Ｒにデータが記録されているか否かを調べ、未書き込み状態であることを検出すると、自装置にスレーブモードを設定し、Ｉ／Ｆコントローラ５２を介してＭＴユニット４０へターゲットメディアにデータを書き込むモジュールであることを示す情報を通知する。
また、ＣＤ−Ｒユニット５５でも同様の処理が行なわれる。
【０１４３】
ＭＴユニット４０のコントローラ４５は、ＣＤ−Ｒユニット５０と５５からスレーブモードを示す情報の通知を受け取ると、ＭＴドライブ４１に装着されたＭＴからソースデータを読み出してＩ／Ｆコントローラ４４を介してＣＤ−Ｒユニット５０と５５へ出力する。
【０１４４】
一方、ＣＤ−Ｒユニット５０のコントローラ５３は、ＭＴユニット４０からマスタモードで動作するモジュールの通知を受け取ると、Ｉ／Ｆコントローラ５２のデータ受信の準備をし、ＭＴユニット４０から送信されるソースデータを受信するとそれを一旦バッファ５４に格納した後、ＣＤ−Ｒに書き込み可能なフォーマットに変換してＣＤ−Ｒドライブ５１へ転送し、ＣＤ−Ｒドライブ５１に装着されたＣＤ−Ｒに書き込ませて複写する。
【０１４５】
また、ＣＤ−Ｒユニット５０のコントローラ５３は、ＣＤ−Ｒドライブ５１に装着されたＣＤ−Ｒにソースデータが記録されていることを検出した場合、自装置にマスタモードを設定し、Ｉ／Ｆコントローラ５２を介してＭＴユニット４０及びＣＤ−Ｒユニット５５へソースメディアからソースデータを読み出すモジュールであることを示す情報を通知する。
【０１４６】
一方、ＭＴユニット４０のコントローラ４５は、ＭＴドライブ４１に装着されたＭＴが未書き込み状態であることを検出すると、自装置にスレーブモードを設定し、Ｉ／Ｆコントローラ４４を介してＣＤ−Ｒユニット５０と５５へ自装置がターゲットメディアにソースデータを書き込むモジュールであることを示す情報を通知する。そして、ＣＤ−Ｒユニット５０からマスタモードを示す情報の通知を受けると、Ｉ／Ｆコントローラ４４のデータ受信の準備をする。
【０１４７】
ＣＤ−Ｒユニット５０のコントローラ５３は、ＭＴユニット４０からスレーブモードで動作するモジュールの通知を受け取ると、ＣＤ−Ｒドライブ５１に装着されたＣＤ−Ｒに記録されているソースデータを読み出してＭＴユニット４０へ出力する。そして、ＭＴユニット４０のコントローラ４５は、ＣＤ−Ｒユニット５０から送信されるソースデータを受信するとそれを一旦ＨＤＤ４２に格納した後、指定されたフォーマットに変換してＭＴドライブ４１へ転送し、そのＭＴドライブ４１に装着されたＭＴに書き込ませて複写する。
【０１４８】
こうして、各ユニットに装着されたメディアを各々のユニットが調べ、メディア上にデータを検出したときはそのデータをソースデータとして扱い、他のユニットにソースデータの検出をＩ／Ｆコントローラを介して通知する。
一方、未書き込みのメディアを装着したユニットはスレーブモードで動作して、ソースデータを受信してそれをターゲットメディアに書き込んでコピーする。
【０１４９】
なお、書き込み済みのメディアが装着されたにもかかわらず他のユニットからソースデータの検出を通知されたユニットは、ユニット間でソースのコンフリクトが発生しているので、そのメディアの排出を行なって他のユニットへエラーを通知するとよい。
【０１５０】
このようにして、この実施例のデータ複写装置では、テープ，リムーバブルハードディスク，又は光磁気ディスク等のメディアに記録されたデータをＣＤ−Ｒに複写する装置を簡単に組み合わせて構成することができ、ソースデータのモジュールを交換することによって多種類のソースデータフォーマットに対応することができる。したがって、複写元のメディアの種類が異なってもそのメディアのデータを容易にＣＤ−Ｒに複写することができる。
【０１５１】
また、ダイレクトアクセス装置とＣＤ−Ｒドライブをモジュール化し、それらを必要な台数だけ接続して、いずれかのモジュールに装着したソースメディアからその他のモジュールに装着したターゲットメディアへデータのコピーを自動的に行なわせることができる。
したがって、例えばＣＤ−Ｒにマルチセッションによって記録されているデータを９トラックＭＴに落とすことによってＣＤ−ＲＯＭのスタンパにデータを入力し、ＣＤ−ＲＯＭを作成する場合、容易に作成することができる。
【０１５２】
なお、上述の実施例では、ダイレクトアクセス装置としてテープ記録装置の場合について説明したが、その他のリムーバブルハードディスク装置，光磁気ディスク（ＭＯ）装置などについても同じように実施することができる。
【０１５３】
次に、この発明のデータ複写装置の第７実施例について説明する。図１７はこの実施例のデータ複写装置の外観図、図１８はそのデータ複写装置の内部構成を示すブロック図、図１９はそのデータ複写装置におけるデータ複写処理のフローチャートである。
【０１５４】
図１７に示すように、このデータ複写装置は、１台づつ相互に着脱可能なモジュールに分割されたＭＴユニット６０に２台のＣＤ−Ｒユニット７０ａと７０ｂとがイーサネット等のインタフェースケーブル３によって接続されている。
そして、そのインタフェースケーブル３を介してＭＴユニット６０とＣＤ−Ｒユニット７０ａ及び７０ｂとの間で各種のデータをやり取りする。
【０１５５】
ＭＴユニット６０は、下面にＣＤ−Ｒユニットの押しボタンスイッチを押下するための押下キー６４を備えている。ＣＤ−Ｒユニット７０ａと７０ｂの上面には、押しボタンスイッチ７２ａ，７２ｂが設けられ、押しボタンスイッチに対応する下面側の位置には押下キー７３ａ，７３ｂが設けられている。
【０１５６】
そして、ＭＴユニット６０とＣＤ−Ｒユニット７０ａと７０ｂをこの順番で上から積み重ねて、ＭＴユニット６０の押下キー６４がＣＤ−Ｒユニット７０ａの押しボタンスイッチ７２ａを押下し、ＣＤ−Ｒユニット７０ａの押下キー７３ａがＣＤ−Ｒユニット７０ｂの押しボタンスイッチ７２ｂを押下するように組み合わせる。
【０１５７】
このようにすると、一番上に位置するＭＴユニット６０は自動的に自装置の役割をソースメディアのデータを読み出すドライブに割り当て、その下に位置するＣＤ−Ｒユニット７０ａと７０ｂは、それぞれ自動的に自装置の役割をターゲットメディアにソースデータを書き込むドライブの役割を割り当てる。
そして、ＭＴユニット６０に装着されたＭＴから読み出されたソースデータをＣＤ−Ｒユニット７０ａと７０ｂへ転送してそれぞれに装着されているＣＤ−Ｒに複写する。
【０１５８】
また、ＭＴユニット６０の下面にはその装置の脚６５（図示を省略するがその他に２個有り）を押下キー６４と同じ脚長となるように設けている。
さらに、各ＣＤ−Ｒユニット７０ａ，７０ｂの下面には、その装置の脚７４ａ，７４ｂ（図示を省略するがその他に２個有り）を押下キー７３ａ，７３ｂと同じ脚長となるように設けており、押しボタンスイッチの位置を除く各脚に対応する上面側の位置には、その脚を収納する嵌合部７５ａ，７５ｂ（図示を省略するがその他に２個有り）も設けており、ＣＤ−Ｒユニットを積み重ねたときに傾かないように工夫している。
【０１５９】
図１８の（ｂ）に示すように、ＭＴユニット６０は、ＭＴドライブ６１とＨＤＤ６２とＩ／Ｆコントローラ６６とコントローラ６７とバッファ６８を備えている。ＭＴドライブ６１は、９トラックＭＴ，８ｍｍ，ＤＡＴ等のテープメディアに対するデータの書き込み及び読み出しを行なう。
【０１６０】
ＨＤＤ６２は、ＭＴドライブ６１のソースメディアのＭＴから読み出したソースデータのフォーマットを、ＣＤ−Ｒユニット７０ａのＣＤ−Ｒドライブ７１ａとＣＤ−Ｒユニット７０ｂのＣＤ−Ｒドライブ７１ｂにそれぞれ装着されたターゲットメディアのＣＤ−Ｒに記録するときのフォーマットに変換するときのワーク用のメモリである。
【０１６１】
Ｉ／Ｆコントローラ６６は、外部に接続されたＣＤ−Ｒユニット７０ａと７０ｂとの間のインタフェースケーブルを介したデータの送受信を司る。
コントローラ６７は、ＣＰＵ，ＲＯＭ，及びＲＡＭ等からなるマイクロコンピュータを内蔵し、このテープ記録装置全体の制御を司ると共に、この発明に係るデータの複写処理を行なう。バッファ６８は、各種のデータを一時的に格納するメモリである。
【０１６２】
図１８の（ａ）に示すように、ＣＤ−Ｒユニット７０ａは、１台のＣＤ−Ｒドライブ７１ａを有し、さらに、Ｉ／Ｆコントローラ７６，コントローラ７７，バッファ７８，及び押しボタンスイッチ検知部７９を備えている。
【０１６３】
ＣＤ−Ｒドライブ７１ａは、ＣＤ，ＣＤ−ＲＯＭ，ＣＤ−ＤＡ，及びＣＤ−Ｖ等の再生専用光ディスクからのデータの読み出しと、ＣＤ−Ｒに対するデータの書き込み及び読み出しを行なうドライブである。そして、コントローラ７７の指示にしたがって、装着されるディスクの種類に応じて役割を変えることができ、データの読み出しと書き込みの速度を変更することができる。
【０１６４】
Ｉ／Ｆコントローラ７６は、外部に接続されたＭＴユニット６０との間のインタフェースケーブル３を介したデータの送受信を司る。
コントローラ７７は、ＣＰＵ，ＲＯＭ，及びＲＡＭ等からなるマイクロコンピュータを内蔵し、このＣＤ−Ｒユニット全体の制御を司ると共に、この発明に係るデータの複写処理を行なう。バッファ７８は、複写対象のデータを一時的に格納するメモリである。押しボタンスイッチ検知部７９は、押しボタンスイッチ７２ａが押下されたか否かを検知してコントローラ７７へ通知する。
【０１６５】
また、ＣＤ−Ｒユニット７０ｂも、上述のＣＤ−Ｒユニット７０ａと同じように、ＣＤ−Ｒドライブと共にＩ／Ｆコントローラ，コントローラ，バッファ，及び押しボタンスイッチ検知部を備えており、それらの機能は上述したものと同じである。
【０１６６】
すなわち、上記ＭＴユニット６０とＣＤ−Ｒユニット７０ａ，７０ｂのコントローラが、他のモジュールとデータのやり取りを可能に接続する手段と、他のモジュールとの組合せ位置に基づいてソースメディアのデータを読み出すモジュールと、そのモジュールによって読み出されたデータをターゲットメディアに書き込むモジュールのいずれかの役割を自動的に決定する手段の機能を果たす。
【０１６７】
次に、このデータ複写装置におけるデータ複写処理について説明する。
ここでは、ＭＴユニット６０とＣＤ−Ｒユニット７０ａとの間の処理を説明するが、ＭＴユニット６０とＣＤ−Ｒユニット７０ｂとの間でも同じような処理を行なうので、その説明を省略する。
【０１６８】
図１９に示すように、モジュールの組み合わせ位置からＭＴユニットは、ステップ（図中「Ｓ」で示す）８１でマスタモードを設定して、ソースメディアのデータを読み出すモジュールの役割を決定し、ＣＤ−Ｒユニットへマスタモードの情報を出力する。
【０１６９】
一方、ＣＤ−Ｒユニットは、ステップ８４で押しボタンスイッチ検知部による検知結果に基づいてスレーブモードを設定し、ターゲットメディアにデータを書き込むモジュールの役割を決定し、ＭＴユニットへスレーブモードの情報を出力する。そして、ＭＴユニットから受け取ったマスタモードの情報に基づいてソースデータの受信準備をする。
【０１７０】
ＭＴユニットは、ＣＤ−Ｒユニットからスレーブモードの情報を受け取ると、ステップ８２でＭＴからソースデータを読み出してＣＤ−Ｒユニットへ出力し、ステップ８３へ進んでソースデータの出力が終了か否かを判断して、終了でなければ再びステップ８２の処理に戻ってソースデータの読み出しと出力を繰り返し、終了ならばこの処理を終了する。
【０１７１】
一方、ＣＤ−Ｒユニットは、ステップ８５でＭＴユニットから受信したソースデータをＣＤ−Ｒに書き込み可能なフォーマットへ変換してＣＤ−Ｒに書き込み、ステップ８６へ進んでソースデータの書き込みが終了か否かを判断して、終了でなければ再びステップ８５の処理に戻ってソースデータの書き込みを繰り返し、終了ならばこの処理を終了する。
【０１７２】
このようにして、この実施例のデータ複写装置は、ＭＴユニットとＣＤ−Ｒユニットの各モジュールが他のモジュールとの組み合せ位置に基づいてソースメディアのデータを読み出すモジュールの役割か、そのモジュールによって読み出したデータをターゲットメディアに書き込むモジュールの役割かを自動的に決定するので、各モジュールの役割設定を行なう必要がなく、データ複写装置を必要な台数のモジュールによって容易に構成することができる。
【０１７３】
なお、上述の実施例ではＭＴを用いた場合について説明したが、ハードディスク装置や光磁気ディスク装置などでも同じように実施することができる。
また、上述の実施例では各モジュールを縦積みする場合について説明したが、各モジュールの側面に押下キーを設け、その押下キーに対応する位置に押しボタンスイッチも設けて、各モジュールの側面を密着させて横並びに組み合わせて、最も端に位置する一方のモジュールをソースドライブに、その他のモジュールをターゲットドライブにそれぞれ割り当てるように決定してもよい。
【０１７４】
次に、この発明のデータ複写装置の第８実施例について説明する。図２０はこの実施例のデータ複写装置の構成を示すブロック図、図２１はその各ＣＤ−Ｒユニットの内部構成を示すブロック図、図２２はそのデータ複写装置によるデータ複写処理を示すフローチャートである。
【０１７５】
このデータ複写装置は、図２０に示すように、３台のＣＤ−Ｒユニット８０ａ，８０ｂ，８０ｃとＰＯＳコントローラ８３がイーサネット等のインタフェースケーブル３によって接続されている。
また、ＰＯＳコントローラ８３は、ＣＤ−ＲＯＭの版権又は著作権等の権利の保有者の端末装置８５のＰＯＳコントローラ８４と通信ケーブルを介して接続されている。そして、３台のＣＤ−Ｒユニット８０ａ，８０ｂ，８０ｃと端末装置８５との間のＰＯＳシステムを構築している。
【０１７６】
このデータ複写装置では、版権又は著作権等の権利が設定されているＣＤ−ＲＯＭに記録された音楽又は画像のデータを複写する場合、そのＣＤ−ＲＯＭが装着されたＣＤ−ＲユニットがそのＣＤ−ＲＯＭのバーコードのデータを読み取ってＰＯＳシステムを介して版権又は著作権等の権利の保有者の端末装置８５へ送る。
【０１７７】
ＣＤ−ＲＯＭを装着したＣＤ−Ｒユニットは、その版権又は著作権等の権利の保有者の端末装置８５からコピーの許可の指示データを受け取ると、そのＣＤ−ＲＯＭのデータを読み出してその他のＣＤ−Ｒユニットへ送り、それらのＣＤ−Ｒユニットに装着されたＣＤ−Ｒに書き込ませる。
【０１７８】
そして、各ＣＤ−Ｒユニットでのデータの書き込みが成功したものの個数をカウントしてそれをＰＯＳシステムを介して版権又は著作権等の権利の保有者の端末装置８５へ送る。その端末装置８５ではその個数のデータを受け取って版権又は著作権等の権利の使用料の課金等に用いることができる。
【０１７９】
このデータ複写装置のＰＯＳコントローラ８３と８４は、ＣＤ−Ｒユニット８０ａ，８０ｂ，８０ｃと端末装置８５との間のＰＯＳシステムによるデータ通信を司る。また、端末装置８５は、ＣＰＵ，ＲＯＭ，及びＲＡＭ等からなるマイクロコンピュータを内蔵し、ＣＤ−Ｒユニット８０ａ，８０ｂ，８０ｃによるＣＤ−ＲＯＭのデータの複写許可又は不許可を付与すると共にその複写数や課金を管理するコンピュータである。
【０１８０】
図２１に示すように、ＣＤ−Ｒユニット８０ａ，８０ｂ，８０ｃは、Ｉ／Ｆコントローラ８６ａ，８６ｂ，８６ｃと、コントローラ８７ａ，８７ｂ，８７ｃと、バッファ８８ａ，８８ｂ，８８ｃと、ＣＤ−Ｒドライブ８９ａ，８９ｂ，８９ｃをそれぞれ備えている。
【０１８１】
Ｉ／Ｆコントローラ８６ａ，８６ｂ，８６ｃは、インタフェースケーブル３によって接続された他のＣＤ−ＲユニットとＰＯＳコントローラ８３との間のデータの送受信を司る。コントローラ８７ａ，８７ｂ，８７ｃは、ＣＰＵ，ＲＯＭ，及びＲＡＭ等からなるマイクロコンピュータを内蔵し、ＣＤ−Ｒユニット全体の制御を司ると共に、この発明に係るデータの複写処理を行なう。
【０１８２】
バッファ８８ａ，８８ｂ，８８ｃは、ＣＤ−ＲＯＭから読み出した又は他のＣＤ−Ｒユニットから受信した複写対象のデータを一時格納するメモリである。
ＣＤ−Ｒドライブ８９ａ，８９ｂ，８９ｃは、ＣＤ−ＲＯＭを装着し、そのＣＤ−ＲＯＭに記録されているソースデータを読み出す。
又は、書き込み可能で書き換え不能な光ディスクであるＣＤ−Ｒディスクを装着し、ＣＤ−Ｒメディアに記録されているソースデータを読み出し、又は他のＣＤ−Ｒドライブから受信したソースデータをＣＤ−Ｒメディアに書き込む。
【０１８３】
すなわち、上記ＣＤ−Ｒドライブ８９ａ，８９ｂ，８９ｃは、装着されたソースメディアがＣＤ−ＲＯＭのとき、そのＣＤ−ＲＯＭのバーコードを読み取る手段に相当し、上記ＰＯＳコントローラ８３はその読み取られたバーコードのデータをＰＯＳシステムを通じてＣＤ−ＲＯＭの版権又は著作権等の権利の保有者の端末装置へ送る手段と、その端末装置からＣＤ−ＲＯＭのコピーの許可及び不許可の指示データを受け取る手段に相当する。
【０１８４】
また、上記コントローラ８７ａ，８７ｂ，８７ｃは、端末装置からコピー許可の指示データを受け取ったときにのみＣＤ−ＲＯＭのデータのターゲットメディアに対する書き込みを可能にする手段と、データの書き込みが成功したターゲットメディアの個数をカウントする手段と、そのカウントされた個数のデータをＰＯＳシステムを通じて端末装置へ送る手段に相当する。
【０１８５】
次に、このデータ複写装置の処理について説明する。この処理は、図２２に示すように、ＣＤ−Ｒユニットは、ステップ（図中「Ｓ」で示す）９１でＣＤ−ＲＯＭが装着されたか否かを判断して、ＣＤ−ＲＯＭが装着されたらステップ９２へ進んでそのＣＤ−ＲＯＭのバーコードを読み取ってＰＯＳシステムを通じて端末装置へ出力する。端末装置は、ＣＤ−Ｒユニットからバーコードを受け取ると、ステップ９７でそのバーコードに基づいてＣＤ−ＲＯＭのコピー許可又は不許可をＰＯＳシステムを通じてＣＤ−Ｒユニットへ通知する。
【０１８６】
ＣＤ−Ｒユニットは、端末装置から通知を受け取ると、コピー許可か否かを判断して、コピー許可ならステップ９４へ進んでＣＤ−ＲＯＭのデータを読み出してターゲットメディアであるＣＤ−Ｒへのコピーを実施し、ステップ９５へ進んでコピーの成功数をカウントし、そのカウントデータをＰＯＳシステムを通じて端末装置へ通知する。
【０１８７】
端末装置は、ＣＤ−Ｒユニットからカウントデータを受け取ると、ステップ９８でそのカウント数に基づいてＣＤ−ＲＯＭのコピーの課金処理を行なって、この処理を終了する。
また、ＣＤ−Ｒユニットは、端末装置からコピー不許可の通知を受け取ると、ステップ９６へ進んでＣＤ−ＲＯＭのコピーを禁止し、この処理を終了する。
【０１８８】
さらに上述の処理について説明する。例えば、図２０及び図２１に示すように、ＣＤ−Ｒユニット８０ａのＣＤ−Ｒドライブ８９ａにソースメディアであるＣＤ−ＲＯＭ８１を、ＣＤ−Ｒユニット８０ｂと８０ｃにそれぞれターゲットメディアであるＣＤ−Ｒ８２と８２を装着し、そのＣＤ−ＲＯＭ８１のデータをＣＤ−Ｒ８２，８２にコピーする場合の処理について説明する。
【０１８９】
この処理は、ＣＤ−Ｒユニット８０ａはＣＤ−Ｒドライブ８９ａに装着されたメディアがＣＤ−ＲＯＭであることを検知すると、マスタモードを設定すると共にＣＤ−Ｒユニット８０ａ，８０ｂに対してその情報を通知し、ＣＤ−ＲＯＭ８１のバーコードを読み取ってそのバーコードデータをＰＯＳコントローラ８３を通じて版権所有者（又は著作権者）の端末装置８５へ送出する。
【０１９０】
また、ＣＤ−Ｒユニット８０ｂと８０ｃはそれぞれのＣＤ−Ｒドライブ８９ｂと８９ｃに装着されたメディアが未書き込み状態のＣＤ−Ｒであることを検知すると、スレーブモードを設定して、ＣＤ−Ｒユニット８０ａともう一方のＣＤ−Ｒユニット８０ｂ又は８０ｃへそれぞれスレーブモードの情報を通知し、ＣＤ−Ｒユニット８０ａからマスタモードの情報を受け取るとコピー対象のソースデータの受信準備をする。
【０１９１】
版権所有者の端末装置８５では、ＣＤ−Ｒユニット８０ａからバーコードデータを受信すると、そのＣＤ−ＲＯＭに対するコピー許可又は不許可の指示データをＰＯＳコントローラ８４を通じてＣＤ−Ｒユニット８０ａへ通達する。
【０１９２】
ＣＤ−Ｒユニット８０ａは、端末装置８５からコピー許可の指示データを受け取ると、ＣＤ−Ｒドライブ８９ａに装着されたＣＤ−ＲＯＭ８１のソースデータを読み出してＩ／Ｆコントローラ８６ａを介してＣＤ−Ｒユニット８０ｂと８０ｃへ出力する。
【０１９３】
ＣＤ−Ｒユニット８０ｂと８０ｃは、ＣＤ−Ｒユニット８０ａからソースデータを受信すると、そのソースデータをＣＤ−Ｒ８２に書き込んでコピーする。
そして、書き込みが成功した場合はその情報を、書き込みエラー等のエラーによってＣＤ−Ｒ８２へのソースデータの書き込みが不成功の場合はエラー情報をそれぞれＣＤ−Ｒユニット８０ａへ返送する。
【０１９４】
ＣＤ−Ｒユニット８０ａは、ＣＤ−Ｒユニット８０ｂと８０ｃからのソースデータの書き込み成功又は不成功の情報を受け取り、その情報に基づいて実際に何枚のＣＤ−Ｒに対するコピーが成功したかを検出してカウントし、そのコピー枚数のカウントデータをＰＯＳコントローラ８３を介して端末装置８５へ送る。
版権者の端末装置８５はＣＤ−Ｒユニット８０ａから受け取ったカウントデータに基づいてＣＤ−ＲＯＭ８１のコピーに関する課金を行なう。
【０１９５】
また、ＣＤ−Ｒユニット８０ａは端末装置８５からコピー不許可の指示データを受け取った場合、ＣＤ−Ｒドライブ８９ａに装着されたＣＤ−ＲＯＭ８１のコピーを禁止して、例えばそのＣＤ−ＲＯＭを排出したり、コピー不可のメッセージを出力したりすると共に、ＣＤ−Ｒユニット８０ｂと８０ｃへそれぞれデータ出力を中止する情報を出力する。そして、ＣＤ−Ｒユニット８０ｂと８０ｃではデータ受信待機状態を解除する。
【０１９６】
この実施例のデータ複写装置は、ＣＤ−Ｒドライブに装着されたソースメディアがＣＤ−ＲＯＭのとき、そのＣＤ−ＲＯＭから読み取ったバーコードのデータをＰＯＳシステムを通じてＣＤ−ＲＯＭの版権者又は著作権保有者の端末装置へ送り、その端末装置からＣＤ−ＲＯＭのコピーの許可の指示データを受け取ったときにのみＣＤ−ＲＯＭのデータのターゲットメディアに対する書き込みを可能にし、そのデータの書き込みが成功したターゲットメディアの個数をカウントしてＣＤ−ＲＯＭの版権者又は著作権保有者の端末装置へ送ることができる。
【０１９７】
例えば、ＣＤ−Ｒにコピーを行なうとき、ライトエラー等の原因によって書き込みに失敗する場合が有るが、このデータ複写装置によれば、正常に書き込みを行なえた数にのみ書き込みを行なうので公正な課金管理が行なえる。また、データの版権者や著作権者の許可を取って合法的にコピーをおこなうので、不正コピーを防止することもできる。
【０１９８】
したがって、この実施例のデータ複写装置では、ＣＤ−ＲＯＭ等のオリジナルメディアに記録されているデータを、その版権所有者又は著作権保有者の許可を受けて複写することができ、不正コピーの防止も図れる。そして、ＣＤ−Ｒへの複写を行なうときにライトエラー等によって書き込みに失敗しても、正常に書き込めたときにのみ課金するので公正な課金を行なえる。
【０１９９】
なお、上述の第８実施例のデータ複写装置では複数のＣＤ−Ｒユニットを備えたデータ複写装置について説明したが、テープ記録装置，リムーバブルハードディスク装置，及び光磁気ディスク装置等のダイレクトアクセス装置を備えるようにしても同じように実施することができる。
また、各ＣＤ−Ｒユニットの組み合わせ位置に基づいてコピー基のモジュールとコピー先のモジュールの役割を自動的に決定するようにしてもよい。
【０２００】
次に、この発明のデータ複写装置の第９実施例について説明する。図２３はこの実施例のデータ複写装置の構成を示すブロック図、図２４はそのデータ複写装置によるデータ複写処理を示すフローチャートである。
このデータ複写装置は、図２３に示すように、ジュークボックス９０と端末装置９１とＣＤ−Ｒドライブ９２からなり、ジュークボックス９０は複数のＣＤ−ＲＯＭ９４を収納したＣＤスタッカ９３と、チェンジャ９５と、コントローラ９６と、ＣＤ−ＲＯＭドライブ９７を備えている。
【０２０１】
端末装置９１は、ジュークボックス９０に収納されたＣＤ−ＲＯＭ９４のコピー時、コピー対象と、トラック情報と、読み出し順番等を指定するマイクロコンピュータを備えたパーソナルコンピュータである。
ＣＤ−Ｒドライブ９２は、ＣＤ−Ｒを装着し、ジュークボックス９０から出力されるコピー対象のソースデータをそのＣＤ−Ｒに書き込んでコピーする。
【０２０２】
ＣＤ−ＲＯＭ９４は音声や画像等のデータを記録したソースメディアである。
チェンジャ９５は、ＣＤ−ＲＯＭドライブ９７に対してＣＤスタッカ９３に収納された複数のＣＤ−ＲＯＭ９４を交換して装着する。
コントローラ９６は、ＣＰＵ，ＲＯＭ，及びＲＡＭ等からなるマイクロコンピュータを内蔵し、ジュークボックス全体の制御を司ると共に、この発明に係るデータの複写処理を行なう。
ＣＤ−ＲＯＭドライブ９７は、装着されたＣＤ−ＲＯＭ９４からソースデータを読み出してＣＤ−Ｒドライブ９２へ出力する。
【０２０３】
すなわち、上記チェンジャ９５が、ＣＤ−ＲＯＭドライブ９７に対して複数のソースメディアであるＣＤ−ＲＯＭ９４をそれぞれ交換して装着する手段に相当する。また、上記コントローラ９６が、ＣＤ−ＲＯＭドライブ９７に装着されるＣＤ−ＲＯＭ９４から読み出すデータのトラック情報と読み出しの順番とを指定する手段と、その指定されたトラック情報のトラック長の合計がターゲットメディアであるＣＤ−Ｒのデータ長を越えるか否かを判定する手段と、その判定結果を出力する手段の機能を果たす。
【０２０４】
次に、このデータ複写装置の処理について説明する。この処理は、図２４に示すように、ステップ（図中「Ｓ」で示す）１０１でコピー対象のＣＤ−ＲＯＭ，データのトラック情報，読み出し順番を指定し、ステップ１０２へ進んでコピー対象のデータのトラック長を合計する。
【０２０５】
その後、ステップ１０３へ進んでその合計値がコピー先のＣＤ−Ｒに記録可能なデータ長を越えるか否かを判断して、越えなければステップ１０４へ進んでコピー処理を実施し、越えればステップ１０５へ進んでユーザにコピー対象の全データをコピー先に書き込めないことを知らせる通知を行ない、この処理を終了する。
【０２０６】
さらに、この処理について説明する。コントローラ９６は、端末装置９１からジュークボックス９０のどのＣＤ−ＲＯＭ９４の何トラック目のデータを書き込むのかのトラック情報と、その書き込み順番と、マルチセッション，シングルセッション，及びディスクアットワンス等の書き込み方法が選択されると、ＣＤ−ＲＯＭドライブ９７に対して装着されたＣＤ−ＲＯＭ９４の指定されたコピー対象のデータのトラック長を読み出させる。
【０２０７】
その後、ＣＤ−ＲＯＭドライブ９７によって読み出されたトラック長の合計を求める。さらに、指定された書き込み方法に応じてリードイン，リードアウト，リンクブロック等の付加データの長さを計算して実際にＣＤ−Ｒ上に記録するときのデータ長に変換する。そして、それらのコピー対象のデータのトラック長と付加データのデータ長を合計し、その合計値がターゲットメディアであるＣＤ−Ｒのデータの書き込み容量のデータ長を越えるか否かを判断する。その判定結果を端末装置９１へ出力し、端末装置９１ではその判定結果を表示する。
【０２０８】
指定された全データがＣＤ−Ｒに書き込める場合、ＣＤ−ＲＯＭドライブ９７は、装着されたＣＤ−ＲＯＭ９４からコントローラ９６によって指定された書き込み順番でコピー対象のデータを読み出してＣＤ−Ｒドライブ９２へ出力し、ＣＤ−Ｒドライブ９２は装着されているＣＤ−Ｒにそのデータをコントローラ９６によって指定された書き込み方法によって書き込んでコピーする。
【０２０９】
また、指定された全データがＣＤ−Ｒに書き込めない場合、ＣＤ−ＲＯＭドライブ９７は、コントローラ９６からの指示があるまで装着されたＣＤ−ＲＯＭ９４のコピー処理を待機する。一方、端末装置９１はディスプレイに全データ書き込み不可のメッセージを表示すると共に、コピー実行／中止の選択と、コピー実行のときの各種の作業を選択するメニューを表示する。
【０２１０】
その作業としては、例えば、コピー対象の選択を変更する作業、ＣＤ−Ｒには書き込めるだけ書き込み、書き込みきれなかったデータのコピーを中止する作業、複数のＣＤ−Ｒに分けてコピーする作業等が考えられる。
そして、コントローラ９６は端末装置９１からコピー実施の指示があればＣＤ−ＲＯＭドライブ９７に対してＣＤ−Ｒにコピーする。
【０２１１】
また、複数のＣＤ−ＲＯＭに記録されているデータをＣＤ−Ｒにコピーする場合は、コピー対象のデータのＣＤ−ＲＯＭからデータ長を読み取って合計を求め、その合計がコピー先のＣＤ−Ｒに書き込めるデータ長を越えなければ再び指定された読み出し順でＣＤ−ＲＯＭを交換してそれぞれコピー対象のデータを読み出してコピーを行なうと良い。
【０２１２】
なお、上述の実施例ではターゲットメディアとしてＣＤ−Ｒを用いた場合について説明したが、ＣＤ−Ｒドライブに代えてテープ記録装置又は光磁気ディスク装置等のダイレクトアクセス装置を設け、ＣＤ−Ｒ以外のメディアにコピーするようにしても同じように実施することができる。
また、上記ジュークボックスにはＣＤ−ＲＯＭドライブを設けたが、それに代えてＣＤ−Ｒドライブを設けても良い
【０２１３】
さらに、このデータ複写装置と版権又は著作権の所有者の端末装置とからなるＰＯＳシステムを構築し、上述の第９実施例で説明したように、ジュークボックス内のＣＤ−ＲＯＭのデータのコピー時には、端末装置に対してコピー許可を問い合わせ、コピー許可の通知を受け取ったときにのみコピー処理を実行するようにすれば、ＣＤ−ＲＯＭの無断複写を防止することができる。
【０２１４】
このようにして、この実施例のデータ複写装置は、書き込み可能な光ディスク用ドライブに複数のソースメディアを交換して装着し、それぞれ装着されるソースメディアから予め指定されたコピー対象のデータのトラック長の合計がターゲットメディアのデータ長を越えるか否かの判定結果を出力する。
【０２１５】
したがって、例えばＣＤ−Ｒへのデータの書き込み方法によっては複写元のオリジナルデータの長さ以上のデータ容量を必要とする場合があるが、ユーザがその都度実際に書き込めるデータ容量の計算を行なう必要が無く、ユーザはソースメディアに記録されたデータがターゲットメディアに全て記録できるか否かを容易に判断することができ、コピー先のメディアが容量不足で書き込みエラーを発生するような事態を招かずに済む。
【０２１６】
次に、この発明のデータ複写装置の第１０実施例について説明する。図２５はこの実施例のデータ複写装置の構成を示すブロック図、図２６はそのデータ複写装置によるデータ複写処理を示すフローチャートである。
【０２１７】
この実施例のデータ複写装置は、ＭＴユニット１００と２台のＣＤ−Ｒユニット１０４ａ，１０４ｂがそれぞれイーサネット等のインタフェースケーブル３によってデータ送受信可能に接続されている。
ＭＴユニット１００は、コントローラ１０１とＭＴドライブ１０２を有し、各ＣＤ−Ｒユニット１０４ａ，１０４ｂは、それぞれコントローラ１０５ａ，１０５ｂと、ＣＤ−Ｒドライブ１０６ａ，１０６ｂを有する。
【０２１８】
コントローラ１０１，１０５ａ，１０５ｂは、それぞれのユニット全体の制御を司るマイクロコンピュータであり、この発明に係るメディア間のデータ複写処理を行なう。ＭＴドライブ１０２はＭＴ１０３に対するデータの読み書きを行ない、ＣＤ−Ｒドライブ１０６ａ，１０６ｂは、ＣＤ−ＲＯＭからのデータの読み出し、ＣＤ−Ｒに対するデータの読み書きを行なう。
【０２１９】
すなわち、上記各コントローラ１０１，１０５ａ，１０５ｂは、ソースメディアからデータを読み出すときの最低保証再生速度と、ソースメディアから読み出したデータをターゲットメディアに書き込み可能なフォーマットに変換するときの最低保証変換速度と、書き込み可能なフォーマットに変換されたデータをターゲットメディアに書き込むときの最低保証記録速度とのいずれか最も遅い速度を基準にしてデータの読み出し及び書き込みを行なわせる読み書き速度制御手段の機能を果たす。
【０２２０】
次にこの実施例のデータ複写装置におけるデータ複写処理について説明する。この処理は、図２６に示すように、ＭＴユニットは、ステップ（図中「Ｓ」で示す）１１１でマスタモードを設定してＣＤ−Ｒユニットへそれを通知する。
ＣＤ−Ｒユニットは、ステップ１１７でスレーブモードを設定してそれをＭＴユニットへ通知してデータ受信の準備をする。
【０２２１】
ＭＴユニットは、ステップ１１２でデータの最低保証再生速度と最低保証（フォーマット）変換速度を比較し、ステップ１１３へ進んで遅い方の速度をＣＤ−Ｒユニットへ通知する。
ＣＤ−Ｒユニットは、ステップ１１８でＭＴユニットから受信した速度とＣＤ−Ｒにデータを書き込むときの最低保証記録速度とに基づいて記録速度を設定する。
【０２２２】
ＭＴユニットは、ステップ１１４でＭＴからソースデータを読み出して、ステップ１１５へ進んでそれをＣＤ−Ｒに書き込み可能なフォーマットに変換し、ステップ１１６へ進んでＣＤ−Ｒユニットへ出力して、この処理を終了する。
ＣＤ−Ｒユニットは、ステップ１１９でＭＴユニットから受信したソースデータを予め設定した記録速度によってＣＤ−Ｒに書き込んで複写し、この処理を終了する。
【０２２３】
さらに、この処理について説明する。ＭＴユニット１００にソースメディアのＭＴ１０３が装着され、ＣＤ−Ｒユニット１０４ａと１０４ｂにそれぞれターゲットメディアのＣＤ−Ｒ１０７が装着された場合の処理を説明する。
ＭＴユニット１００は自装置にマスタモードを設定して、ＭＴ１０３からデータを読み出すときの最低保証再生速度と、ＭＴ１０３から読み出したデータをＣＤ−Ｒ１０７に書き込み可能なフォーマットに変換するときの最低保証変換速度とを比較する。
【０２２４】
その比較によって遅い方の速度を判別して、その遅い方の速度とマスタモードを示す情報とをＣＤ−Ｒユニット１０４ａと１０４ｂに通知する。
その後、ＭＴ１０３からデータを読み出してフォーマットを変換して、ＣＤ−Ｒユニット１０４ａと１０４ｂへ出力する。
【０２２５】
ＣＤ−Ｒユニット１０４ａと１０４ｂは、それぞれ自装置にスレーブモードを設定し、ＭＴユニット１００から受け取った速度とＣＤ−Ｒ１０７にデータを書き込むときの最低保証記録速度とに基づいて最適な記録速度を設定し、ＭＴユニット１００から送信されるソースデータを設定した記録速度によってＣＤ−Ｒ１０７に書き込んでコピーする。
【０２２６】
このようにして、この実施例のデータ複写装置は、データのコピー時の最適な書き込み速度を自動的に選択するので、書き込みや読み取り速度を手動設定する必要がない。また、システムの組み合せに応じて自動的に最高速度を設定することもできる。したがって、ターゲットメディアに対するデータの書き込みが途中で中断しないように安定した速度で書き込みを行なえる。
【０２２７】
なお、上述の実施例ではＭＴユニットと複数のＣＤ−Ｒユニットからなるデータ複写装置の場合について説明したが、その他のテープ記録装置，ハードディスク装置，光磁気ディスク装置等のダイレクトアクセス装置を設けるようにしても、同じように実施することができる。
また、この第１０実施例で説明した読み書き速度制御処理を上述した各実施例において実施すれば、データコピー時の書き込みエラーの発生を防止することができ、メディア間のデータのコピーを能率良く確実に行なえる。
【０２２８】
次に、この発明のデータ複写装置の第１１実施例について説明する。図２７はこの実施例のデータ複写装置の構成を示すブロック図、図２８はそのデータ複写装置によるデータ複写処理を示すフローチャートである。
この実施例のデータ複写装置は、図２７に示すように、版権者側とコピーベンダ側の装置によるデータのＰＯＳ通信を行なうＰＯＳシステムを構成している。
【０２２９】
そして、版権者側の装置はコピーベンダ側の装置から要求されたＣＤ−ＲＯＭのデータを読み出してＰＯＳ通信によって送出するサービスを行ない、コピーベンダ側の装置は版権者側の装置から送信されるデータを必要な数だけＣＤ−Ｒにコピーすることができる。
【０２３０】
さらに、コピーベンダ側の装置はコピーの成功数を版権者側の装置へ報告し、版権者側の装置はコピーベンダ側の装置から受け取ったコピー数に基づいてデータ利用に対する課金を行なえる。
【０２３１】
コピーベンダ側の装置は、２台のＣＤ−Ｒドライブ１１１，１１２とＨＤＤ１１３とＰＯＳコントローラ１１４とがバスによって接続されている。
ＣＤ−Ｒドライブ１１１，１１２は、書き込み可能で書き換え不能な光ディスクであるＣＤ−Ｒディスクを装着し、そのＣＤ−Ｒメディアに版権者側の装置から取得した音声，画像等のソースデータを書き込む。
【０２３２】
ＨＤＤ１１３は、版権者側の装置から受信した複写対象のソースデータを一時的に格納し、それをＣＤ−Ｒに記録可能なフォーマットに変換するために使用されるメモリである。ＰＯＳコントローラ１１４は、ＣＰＵ，ＲＯＭ，及びＲＡＭ等からなるマイクロコンピュータを内蔵し、版権者側の装置との間のＰＯＳ通信の制御とコピーベンダ側の装置全体の制御を司り、この発明に係るデータの取得と複写の処理を行なう。
【０２３３】
一方、版権者側の装置は、ＣＤジュークボックス１２０とＰＯＳコントローラ１２６とがバスによって接続されており、ＣＤジュークボックス１２０はＣＤ−ＲＯＭドライブ１２１とコントローラ１２２とチェンジャ１２３と複数のＣＤ−ＲＯＭ１２５を収納したＣＤスタッカ１２４を有している。
【０２３４】
ＣＤ−ＲＯＭドライブ１２１は、コントローラ１２２からの指示にしたがって、装着されたＣＤ−ＲＯＭ１２５からソースデータを読み出してＰＯＳコントローラ１２６へ出力する。コントローラ１２２は、ＣＰＵ，ＲＯＭ，及びＲＡＭ等からなるマイクロコンピュータを内蔵し、ＣＤジュークボックス全体の制御を司り、各ＣＤ−ＲＯＭ１２５からのソースデータの読み出しを行なう。
【０２３５】
チェンジャ１２３は、コントローラ１２２の制御によってＣＤ−ＲＯＭドライブ１２１に対してＣＤスタッカ１２４に収納された複数のＣＤ−ＲＯＭ１２５を交換して装着する。ＣＤスタッカ１２４は、複数のＣＤ−ＲＯＭ１２５を収納する。複数のＣＤ−ＲＯＭ１２５は、それぞれ音声や画像等のデータを記録したソースメディアである。
【０２３６】
ＰＯＳコントローラ１２６は、ＣＰＵ，ＲＯＭ，及びＲＡＭ等からなるマイクロコンピュータを内蔵し、コピーベンダ側の装置との間のＰＯＳ通信の制御と、この発明に係るソースデータのサービスとそのソースデータのコピーに対する課金処理を行なう。
【０２３７】
すなわち、上記ＰＯＳコントローラ１１４は、ＰＯＳコントローラ１２６から送信されるソースデータを受信する手段と、ＨＤＤ１１３にバッファリングされたソースデータをＣＤ−Ｒドライブ１１１，１１２に装着されたターゲットメディアに書き込み可能なフォーマットに変換する手段と、その変換されたソースデータをＣＤ−Ｒドライブ１１１，１１２に装着されたターゲットメディアに書き込ませる手段と、そのソースデータの書き込みが成功したターゲットメディアの個数をカウントする手段の機能を果たす。
【０２３８】
また、上記ＨＤＤ１１３は、版権者側の装置から受信したソースデータをバッファリングする手段に相当する。さらに、上記ＰＯＳコントローラ１２６は、コピーベンダ側の装置でカウントされたコピー個数に基づいて課金を行なう手段の機能を果たす。
【０２３９】
次にこの実施例のデータ複写装置におけるデータ複写処理について説明する。この処理は、図２８のフローチャートに示すように、コピーベンダ側の装置は、ステップ（図中「Ｓ」で示す）１２１でコピー対象のオリジナルデータを版権者側の装置へ要求する。版権者側の装置では、コピーベンダ側の装置からオリジナルデータの要求があれば、ステップ１２９でその要求されたオリジナルデータをソースメディアから読み出してコピーベンダ側の装置へ出力する。
【０２４０】
コピーベンダ側の装置は、ステップ１２２で版権者側の装置からオリジナルデータを受信するとそれをバッファリングして、ステップ１２３へ進んでそのオリジナルデータのフォーマットをターゲットメディアに記録可能なフォーマットに変換し、ステップ１２４へ進んでそのオリジナルデータをターゲットメディアにコピーし、ステップ１２５へ進んでコピー成功数をカウントし、ステップ１２６へ進んで所定数のコピー終了か否かを判断して、所定数のコピーを終了するまでステップ１２４〜１２６の処理を繰り返す。
【０２４１】
そして、所定数のコピーを終了すると、ステップ１２７へ進んでコピー成功数のカウントデータを版権者側の装置へ出力し、ステップ１２８へ進んでバッファリングされているオリジナルデータを消去して、この処理を終了する。
一方、版権者側の装置は、コピーベンダ側の装置からカウントデータを受信すると、そのコピー数に応じた課金処理を行なって、この処理を終了する。
【０２４２】
さらに、この処理について説明する。予め版権者側の装置では、ＣＤジュークボックス１２０内に版権又は著作権等の権利が設定されているオリジナルデータを記録した複数のＣＤ−ＲＯＭを格納しておく。
まず、コピーベンダ側の装置は、ＰＯＳコントローラ１１４によって版権者側の装置に対して必要なデータを要求する。
【０２４３】
すると、版権者側の装置は、ＰＯＳコントローラ１２６がコピーベンダ側の装置から受信した要求に基づいて、そのコピー要求の許可又は不許可を判断して、許可の場合はその通知をコピーベンダ側に送る。そして、コピーベンダ側の装置のＰＯＳコントローラ１１４は、版権者側の装置からコピー要求許可の通知を受け取ると、ＰＯＳ通信によるソースデータの受信準備と受信したオリジナルデータ（ソースデータ）をバッファリングする準備を行なう。
【０２４４】
一方、版権者側の装置のＰＯＳコントローラ１２６は、コピーベンダ側の装置へコピー要求許可の通知を送ると、ＣＤジュークボックス１２０のコントローラ１２２へコピー要求のあったオリジナルデータの読み出しを指示する。
そのコントローラ１２２は、チェンジャ１２３によってスタッカ１２４からコピー要求のあったオリジナルデータが記録されているＣＤ−ＲＯＭ１２５を取り出し、それをＣＤ−ＲＯＭドライブ１２１へ装着する。
【０２４５】
その後、ＣＤ−ＲＯＭドライブ１２１は装着されたＣＤ−ＲＯＭ１２５に記録されているコピー要求のあったオリジナルデータを読み出してＰＯＳコントローラ１２６へ送出する。そして、ＰＯＳコントローラ１２６は、ＣＤ−ＲＯＭドライブ１２１から受け取ったオリジナルデータをＰＯＳ通信でコピーベンダ側の装置へ出力する。ＣＤ−ＲＯＭドライブ１２１に装着されたＣＤ−ＲＯＭ１２５はデータの読み出しを終了すると、チェンジャ１２３によってスタッカ１２４の基の収納場所に戻される。
【０２４６】
一方、コピーベンダ側の装置のＰＯＳコントローラ１１４は、版権者側の装置から受信したオリジナルデータをＨＤＤ１１３にバッファリングし、その受信を終えるとＨＤＤ１１３内に格納されたオリジナルデータをＣＤ−Ｒに書き込み可能なフォーマットに変換する。
【０２４７】
その後、ＰＯＳコントローラ１１４は、ＣＤ−Ｒドライブ１１１，１１２を制御して予め指定された枚数のＣＤ−ＲへのＨＤＤ１１３に格納されたオリジナルデータのコピーを実施する。その際、書き込みが正常に完了したか否かを検出して成功した枚数をカウントする。
【０２４８】
そして、ＰＯＳコントローラ１１４は、予め指定された枚数のコピー処理を実施すると、書き込みが成功した枚数のカウントデータを版権者側の装置へ通知し、ＨＤＤ１１３にバッファリングされているオリジナルデータを消去して、この処理を終了する。このように、コピー終了とカウントデータ出力後は、ＨＤＤ１１３にバッファリングされているオリジナルデータを消去することによって、オリジナルデータの不正コピーを防止することができる。
【０２４９】
一方、版権者側の装置のＰＯＳコントローラ１２６は、コピーベンダ側の装置から通知されたカウントデータに基づいてオリジナルデータのコピーに対する課金処理を行なって、この処理を終了する。
【０２５０】
なお、上述の実施例ではオリジナルデータを記録するメディアがＣＤ−ＲＯＭの場合について説明したが、版権者側のジュークボックスにＣＤ−ＤＡを収納し、そのオリジナルデータを提供するようにしてもよい。
また、版権者側の装置をテープ，ハードディスク，光磁気ディスク等のメディアに記録したオリジナルデータを読み出す装置にすれば、ＣＤ−ＲＯＭ以外のメディアに記録したオリジナルデータをコピーベンダ側の装置へ提供し、上述のようなＰＯＳ通信を用いたサービスを行なえる。
【０２５１】
このようにして、この実施例のデータ複写装置は、コピーすべきソースメディアが手元になくても容易にそのデータを入手してコピーすることができる。
したがって、コピーすべきオリジナルデータのメディアをデータベンダを手元に持つ必要がなく、オリジナルデータの在庫軽減を図ることができる。そして、最新のデータの入手や絶版になったデータや入手困難なデータを容易に入手して複写することができる。
【０２５２】
また、版権者側では絶版になったデータ（ＣＤ−ＤＡ等）でも在庫を持たずに販売することができるので在庫の軽減を図ることができ。さらに、最新版の音楽等のデータでも遠隔地から即時に入手することができるので、運送にかかる日数を削減して地方への同時発売を容易に行なえ、運送費も削減することができる。
【０２５３】
次に、この発明のデータ複写装置の第１２実施例について説明する。図２９はこの実施例のデータ複写装置の構成を示すブロック図、図３０はそのデータ複写装置によるデータ複写処理を示すフローチャートであり、図２７と共通する部分には同一符号を付している。
【０２５４】
この実施例のデータ複写装置は、図２９に示すように、版権者側のＣＤジュークボックス１２０のスタッカ１２４に、スキャナによって各ＣＤ−ＲＯＭ１２５のユーザマニュアル等の印刷物から読み取った画像データを記録したＣＤ−Ｒ１２６を装填している。また、コピーベンダ側の装置のＰＯＳコントローラ１１４に、新たにレーザ方式，インクジェット方式等のカラー印刷装置であるプリンタ１１５を接続して設けている。
【０２５５】
そして、この実施例のデータ複写装置は、上述の第１１実施例のデータ複写装置と同じように、版権者側の装置はコピーベンダ側の装置から要求されたＣＤ−ＲＯＭのデータを読み出してＰＯＳ通信によって提供し、コピーベンダ側の装置はその提供されたデータをＣＤ−Ｒにコピーすることができるが、さらに、各ＣＤ−ＲＯＭに関するユーザマニュアル等の印刷物のデータを取得して、それを必要な枚数だけプリントすることもできる。
【０２５６】
すなわち、上記ＰＯＳコントローラ１１４が、ＰＯＳコントローラ１２６によって送信されるソースデータに関するデータを受信する手段と、その受信したデータをカウントされた個数分のプリントデータとして出力する手段の機能を果たす。
【０２５７】
次に、図３０に示すフローチャートに基づいて、この実施例のデータ複写装置におけるデータ複写処理について説明するが、図２８のフローチャートに示した処理と共通する部分についてはその説明を省略する。
つまり、コピーベンダ側の装置の処理は、ステップ（図中「Ｓ」で示す）１３１〜１３８が、図２８に示したステップ１２１〜１２８までの処理に相当し、版権者側の装置の処理は、ステップ１４３と１４４が、それぞれ図２８に示したステップ１２９と１３０の処理に相当する。
【０２５８】
そして、コピーベンダ側の装置は、オリジナルデータの複写を終了すると、ステップ１３９で版権者側の装置へそのオリジナルデータのＣＤ−ＲＯＭのユーザマニュアルデータを要求する。
版権者側の装置は、コピーベンダ側の装置からユーザマニュアルデータの要求を受け取ると、ステップ１４５でそのユーザマニュアルデータをメディアから読み出してコピーベンダ側の装置へ出力する。
【０２５９】
そして、コピーベンダ側の装置は、ステップ１４０で版権者側の装置から受信したユーザマニュアルデータをバッファリングし、ステップ１４１へ進んでそのユーザマニュアルデータをハードコピーし、ステップ１４２へ進んでバッファリングされているユーザマニュアルデータを消去して、この処理を終了する。
【０２６０】
さらに、この処理について説明する。コピーベンダ側のＰＯＳコントローラ１１４は、オリジナルデータのコピーを終えたら、そのオリジナルデータのユーザマニュアルデータを要求する。
版権者側の装置のＰＯＳコントローラ１２６は、その要求に基づいてコントローラ１２２に指示を送る。コントローラ１２２は、その指示に基づいてチェンジャ１２３によってスタッカ１２４からＣＤ−Ｒ１２６を取り出してＣＤ−ＲＯＭドライブ１２１に装着する。
【０２６１】
ＣＤ−ＲＯＭドライブ１２１は、装着されたＣＤ−Ｒ１２６に記録されているデータの中からコピー要求のあったオリジナルデータのＣＤ−ＲＯＭに対応するユーザマニュアルデータを読み出し、それをＰＯＳコントローラ１２６へ送出する。その送出後、ＣＤ−Ｒ１２６は基の収納場所に戻される。
ＰＯＳコントローラ１２６は、ＣＤ−ＲＯＭドライブ１２１から受け取ったユーザマニュアルデータをコピーベンダ側の装置へ送信する。
【０２６２】
コピーベンダ側の装置のＰＯＳコントローラ１１４は、版権者側の装置からＰＯＳ通信によって受信したユーザマニュアルデータをＨＤＤ１１３にバッファリングした後、プリンタ１１５へ送出して必要な部数だけ印刷させる。また、オリジナルデータのコピー枚数分だけ自動的に印刷するようにしても良い。
そして、ＰＯＳコントローラ１１４はユーザマニュアルデータの印刷が終了したら、ＨＤＤ１１３にバッファリングされているユーザマニュアルデータを消去して、この処理を終了する。
【０２６３】
なお、上述の実施例ではコピーベンダ側の装置でＣＤ−ＲＯＭに関するユーザマニュアルをプリントする場合について説明したが、ジュークボックスに複数のＣＤ−ＤＡと、その各ＣＤ−ＤＡのジャケットデータを記録したＣＤ−Ｒを収納し、コピーベンダ側の装置に対してＣＤ−ＤＡのオリジナルデータとそのジャケットデータをサービスすることもできる。また、ＣＤ−ＲＯＭのユーザマニュアルやＣＤ−ＤＡのジャケットの他の関連するデータを提供するようにすれば、サービスの付加価値をより高めることができる。
【０２６４】
このようにして、この実施例のデータ複写装置は、手元にないソースメディアのジャケットや使用方法又はマニュアル等も著作権者の許可を得て容易に複写することができる。したがって、遠隔地からＣＤ等のジャケットを入手してスタンパで大量生産することもでき、オリジナルのジャケットと同じものを容易に入手することができる。
【０２６５】
次に、この発明のデータ複写装置の第１３実施例について説明する。図３１はこの実施例のデータ複写装置の構成を示すブロック図、図３２はそのデータ複写装置によるデータ複写処理を示すフローチャートである。
このデータ複写装置は、図３１に示すように、２台のＣＤ−Ｒドライブ１３０，１３１と、ＭＴドライブ１３２と、ＨＤＤ１３３と、ディスプレイ１３４と、コントローラ１３５とからなる。
【０２６６】
ＣＤ−Ｒドライブ１３０，１３１は装着されたＣＤ−Ｒにオリジナルデータを記録する。ＭＴドライブ１３２は装着されたＭＴからオリジナルデータを読み出す。ＨＤＤ１３３はＭＴドライブ１３２から読み出されたオリジナルデータを一時的に格納し、フォーマットの変換用のワークエリアとしても使用される。
【０２６７】
ディスプレイ１３４はＣＤ−Ｒの取り換え通知等の各種の情報を表示するＣＲＴ，ＬＣＤ等の表示装置である。コントローラ１３５は、マイクロコンピュータを内蔵し、このデータ複写装置全体の制御を司り、この発明に係るデータ複写処理を行なう。
【０２６８】
すなわち、上記コントローラ１３５が、ＭＴドライブ１３２に装着されたソースメディアであるＭＴに記録されたデータ量を検出する手段と、その検出したデータ量が１個のターゲットメディアであるＣＤ−Ｒに記録可能な容量を越えているとき、ソースメディアから読み出したデータを各ＣＤ−Ｒドライブ１３０，１３１にそれぞれ装着されたＣＤ−Ｒにそれぞれ分割して書き込ませる手段の機能を果たす。
【０２６９】
さらに、上記ディスプレイ１３４とコントローラ１３５が、各ＣＤ−Ｒドライブ１３０，１３１に装着された各ＣＤ−Ｒに書き込みきれなかったとき、各ＣＤ−Ｒドライブ１３０，１３１に対する新たなターゲットメディアであるＣＤ−Ｒの取り換え指示を通知する手段の機能を果たす。
【０２７０】
次にこの実施例のデータ複写装置におけるデータ複写処理について説明する。この処理は、図３２に示すように、ステップ（図中「Ｓ」で示す）１５１でＭＴのソースデータをＨＤＤにコピーし、ステップ１５２へ進んでそのソースデータをＣＤ−Ｒに書き込めるフォーマットに変換する。
【０２７１】
その後、ステップ１５３でＣＤ−Ｒドライブ１３０に装着されたＣＤ−Ｒに全てのソースデータを書き込めるか否かを判断して、書き込めるならステップ１５８へ進んでＣＤ−Ｒドライブ１３０に装着されたＣＤ−Ｒに全てのソースデータを書き込んで複写し、この処理を終了する。
【０２７２】
ステップ１５３の判断でＣＤ−Ｒドライブ１３０に装着されたＣＤ−Ｒに全てのソースデータを書き込めなければ、ステップ１５４へ進んでディスプレイによって複数のＣＤ−Ｒにコピーすることを通知し、ＣＤ−Ｒドライブ１３０に装着されたＣＤ−Ｒにソースデータを書き込めるだけ（例えば、ファイル単位で）書き込む。
【０２７３】
そして、ステップ１５５へ進んでＣＤ−Ｒドライブ１３１に装着されたＣＤ−Ｒに残りのソースデータを書き込めるか否かを判断して、書き込めるならステップ１５９へ進んでＣＤ−Ｒドライブ１３１に装着されたＣＤ−Ｒに残りのソースデータを書き込んで複写し、この処理を終了する。
【０２７４】
ステップ１５５の判断でＣＤ−Ｒドライブ１３１に装着されたＣＤ−Ｒに残りの全てのソースデータを書き込めなければ、ステップ１５６へ進んでＣＤ−Ｒドライブ１３１に装着されたＣＤ−Ｒに残りのソースデータを書き込めるだけ書き込み、ディスプレイによって新たなＣＤ−Ｒの取り換えを通知する。
【０２７５】
そして、ステップ１５７へ進んでＣＤ−Ｒドライブ１３０又は１３１に新たなメディアのＣＤ−Ｒが挿入されたか否かを判断して、挿入されたらそのドライブによって新たなメディアに対して上述の処理を繰り返し、全てのソースデータを複数のＣＤ−Ｒに分けて記録したら、この処理を終了する。
【０２７６】
さらに、この処理について説明する。コントローラ１３５は、ＭＴドライブ１３２に装着されたＭＴに記録されているオリジナルデータをＨＤＤ１３３へ転送し、ＣＤ−Ｒに書き込み可能なフォーマットに変換し、そのデータ総量を検出する。そして、そのデータ総量に基づいて変換後のオリジナルデータがＣＤ−Ｒドライブ１３０に装着された未書き込みのＣＤ−Ｒの容量を越える場合、そのＣＤ−Ｒに対して書き込めるだけの容量を書き込む。
【０２７７】
その後、コントローラ１３５は、残りのデータ総量がＣＤ−Ｒドライブ１３１に装着された未書き込みのＣＤ−Ｒの容量を越える場合、そのＣＤ−Ｒに対して書き込めるだけの容量を書き込んだ後、ディスプレイ１３４を通じてユーザに新しいＣＤ−Ｒと取り換えるように通知し、いずれかのＣＤ−Ｒドライブ１３０又は１３１に装着された新しいＣＤ−Ｒに残りのソースデータを書き込む。こうして、全てのソースデータを書き込むまでＣＤ−Ｒの取り換え通知と書き込み処理を繰り返す。
【０２７８】
こうして、大量のデータを複数枚のＣＤ−Ｒにコピーする場合、ＣＤ−Ｒディスクの交換が容易になり、ＨＤＤとＣＤ−Ｒドライブとのインタフェースの通信バンドが許すかぎりＣＤ−Ｒ１３０と１３１へのデータの書き込みを交互に行なうことにより、コピー時間を大幅に短縮することができる。
【０２７９】
なお、複数のＣＤ−Ｒにデータを書き込む際、コントローラ１３５の制御によってディスプレイ１３４に各ＣＤ−Ｒに記録するデータ量を選択するメニューを表示し、そのメニューによって選択されたデータ量で各ＣＤ−Ｒへのコピーを行なうようにすれば、ユーザはコピー後の使い勝手が良くなるようにコピーメディアを作成することができる。
【０２８０】
このようにして、この実施例のデータ複写装置は、ＭＴに記録された大容量のソースデータを自動的に複数のＣＤ−Ｒに分割して記録することができる。
したがって、ソースメディアから読み出したデータを複数のターゲットメディアに対して次々と書き込みを行なえるので、書き込み完了までの時間を大幅に短縮することができる。
【０２８１】
また、その書き込み処理のときにＣＤ−Ｒドライブに装着されたＣＤ−Ｒに全てのソースデータを書き込みきれなかったときには、新たなＣＤ−Ｒの取り換え指示を通知するので、ユーザはＣＤ−Ｒの取り換え時期を容易に判断することができる。したがって、ユーザは大量のデータを複数枚のＣＤ−Ｒにコピーする場合にディスク交換を容易に行なえる。
【０２８２】
なお、上述した実施例ではソースドライブとターゲットドライブを一体化した装置構成の場合について説明したが、それぞれを独立したモジュールにし、必要なドライブを組み合わせて構成する場合でも上述の複数のメディアへのデータの分割コピーを同じように実施することができる。
【０２８３】
また、上述した実施例では、ソースドライブとターゲットドライブにＣＤ−Ｒを用いた場合について説明したが、その他の追記型光ディスクドライブ又は書き換え可能型（イレーサブル）光ディスクドライブについても上述と同じように実施することができる。
【０２８４】
この実施例によるデータ複写装置は、複数の書き込み可能な光ディスク用ドライブの中からいずれか１台の書き込み可能な光ディスク用ドライブに装着されたソースメディアのデータを読み出し、その読み出されたデータを残りの書き込み可能な光ディスク用ドライブに装着されたターゲットメディアに書き込み、その際にターゲットメディアに対する書き込み速度よりも速い速度でソースメディアからのデータの読み出しを行なわせる。
【０２８５】
したがって、ＣＤ−ＲＯＭ等の再生専用型光ディスクの再生と、ＣＤ−Ｒ，追記型光ディスク，書き換え可能型光ディスク等の書き込み可能型光ディスクに対する再生及び記録を行なう書き込み可能な光ディスク用ドライブを、ソースディスクからデータの読み出すドライブ又はソースディスクから読み出されたデータをターゲットディスクに書き込むドライブのいずれにも共通して使用することができ、製作時のコストダウンと在庫の適正化を容易に図ることができる。
【０２８６】
また、複数の書き込み可能な光ディスク用ドライブを１台づつ相互に着脱可能なモジュールに分割して、その各モジュールをデータのやり取りを可能に接続して、各モジュールで装着されたメディアの種類に基づいてソースメディアのデータを読み出すモジュールと、そのモジュールによって読み出したデータをターゲットメディアに書き込むモジュールとにそれぞれ役割を自動的に決定すれば、複数のモジュールを接続してソースメディアとターゲットメディアを装着することにより各モジュールを自動的にソースメディアを装着するモジュールとターゲットメディアを装着するモジュールとにそれぞれ動作させて使用することができる。
【０２８７】
したがって、ソースメディアのデータを読み出すモジュールに対してターゲットディスクを装着するターゲットドライブを必要な台数だけ容易に増設することができ、データ複写装置の拡張を容易に行なえる。
【０２８８】
さらに、上記各モジュールが他のモジュールとの組み合せ位置に基づいてソースメディアのデータを読み出すモジュールと、そのモジュールによって読み出したデータをターゲットメディアに書き込むモジュールとの役割を自動的に決定すれば、各モジュールの役割設定を行なう必要がなく、データ複写装置を必要な台数のモジュールによって容易に構成することができる。
【０２８９】
また、テープ記録装置，リムーバブルハードディスク装置，及び書き込みと書き換え可能な光磁気ディスク用ドライブ等のダイレクトアクセス装置に装着されたソースメディアに記録されている記録フォーマットに基づいてソースメディアからデータを読み出し、その読み出したデータを複数の書き込み可能な光ディスク用ドライブに装着されたターゲットメディアに記録可能なフォーマットに変換してそれぞれのターゲットメディアに書き込ませるようにすれば、テープ，ハードディスク，及び光磁気ディスク等のＣＤ−ＲＯＭ等の光ディスク以外のメディアに記録されたデータをもＣＤ−Ｒ等の書き込み可能型光ディスクに容易に複写することができる。
【０２９０】
さらに、書き込み可能な光ディスク用ドライブに装着されたソースメディアからデータを読み出し、ダイレクトアクセス装置に装着されたターゲットメディアにデータを記録するときの記録フォーマットを設定し、その設定された記録フォーマットに基づいてソースメディアから読み出したデータをターゲットメディアに記録可能なフォーマットに変換してダイレクトアクセス装置に装着されたターゲットメディアに書き込ませるようにすれば、ＣＤ−ＲＯＭ，ＣＤ−Ｒ等の光ディスクに記録されたデータをテープ，ハードディスク，及び光磁気ディスク等のメディアにも容易に複写することができる。
【０２９１】
したがって、例えば、ＣＤ−Ｒにマルチセッションによって記録されているデータを９トラックＭＴに複写することによってＣＤ−ＲＯＭのスタンパにデータを入力し、ＣＤ−ＲＯＭの作成を容易に行なうことができる。
【０２９２】
さらにまた、複数の書き込み可能な光ディスク用ドライブとダイレクトアクセス装置を１台づつ相互に着脱可能なモジュールに分割して、その各モジュールをデータのやり取りを可能に接続して、各モジュールで装着されたメディア上のデータの有無に基づいてソースメディアのデータを読み出すモジュールと、そのモジュールによって読み出したデータをターゲットメディアに書き込むモジュールとにそれぞれ役割を自動的に決定すれば、複数のモジュールを接続してソースメディアとターゲットメディアを装着することにより各モジュールを自動的にソースメディアを装着するモジュールとターゲットメディアを装着するモジュールとにそれぞれ動作させて使用することができる。
【０２９３】
そしてまた、上記各モジュールが他のモジュールとの組み合せ位置に基づいてソースメディアのデータを読み出すモジュールと、そのモジュールによって読み出したデータをターゲットメディアに書き込むモジュールとの役割を自動的に決定すれば、各モジュールの役割設定を行なう必要がなく、データ複写装置を必要な台数のモジュールによって容易に構成することができる。
【０２９４】
また、書き込み可能な光ディスク用ドライブに装着されたソースメディアがＣＤ−ＲＯＭのとき、そのＣＤ−ＲＯＭから読み取ったバーコードのデータをＰＯＳシステムを通じてＣＤ−ＲＯＭの版権及び著作権等の権利の保有者の端末装置へ送り、その端末装置からＣＤ−ＲＯＭのコピーの許可の指示データを受け取ったときにのみＣＤ−ＲＯＭのデータのターゲットメディアに対する書き込みを可能にし、そのデータの書き込みが成功したターゲットメディアの個数をカウントしてＣＤ−ＲＯＭの版権及び著作権等の権利の保有者の端末装置へ送るようにすれば、ＣＤ−ＲＯＭに記録されているデータをその権利の保有者の許可を受けて複写することができ、不正コピーの防止も図れる。
そして、ＣＤ−Ｒ等の書き込み可能型光ディスクへの複写を行なうときにライトエラー等によって書き込みに失敗しても、正常に書き込めたときにのみ課金するので公正な課金を行なえる。
【０２９５】
さらに、書き込み可能な光ディスク用ドライブに対して複数のソースメディアをそれぞれ交換して装着し、その装着されるソースメディアから読み出すデータのトラック情報と読み出しの順番とを指定して、その指定されたトラック情報のトラック長の合計がターゲットメディアのデータ長を越えるか否か判定し、その判定結果を出力するようにすれば、ユーザはソースメディアに記録されたデータがターゲットメディアに全て記録できるか否かを容易に判断することができる。
【０２９６】
さらにまた、ソースメディアからデータを読み出すときの最低保証再生速度と、ソースメディアから読み出したデータをターゲットメディアに書き込み可能なフォーマットに変換するときの最低保証変換速度と、書き込み可能なフォーマットに変換されたデータをターゲットメディアに書き込むときの最低保証記録速度とのいずれか最も遅い速度を基準にしてデータの読み出し及び書き込みを行なわせるようにすれば、最適な書き込み速度を自動的に選択するので、書き込みや読み取り速度を手動設定する必要がなく、システムの組み合せに応じて自動的に最高速度を設定することもできる。
したがって、ターゲットメディアに対するデータの書き込みが途中で中断しないように安定した速度で書き込みを行なえるようにすることができる。
【０２９７】
そしてまた、通信手段を介して送信されるソースデータを受信してバッファリングし、そのバッファリングされたソースデータを書き込み可能型光ディスク用ドライブに装着されたターゲットメディアに書き込み可能なフォーマットに変換し、その変換されたソースデータを書き込み可能な光ディスク用ドライブに装着されたターゲットメディアに書き込ませて、そのソースデータの書き込みが成功したターゲットメディアの個数をカウントし、そのカウントされた個数に基づいて課金を行なうようにすれば、コピーすべきソースメディアが手元になくても容易にそのデータを入手してコピーすることができる。
【０２９８】
したがって、コピーすべきオリジナルデータのメディアをデータベンダを手元に持つ必要がなく、オリジナルデータの在庫軽減を図ることができ、最新のデータの入手や絶版になったデータや入手困難なデータを容易に入手して複写することができる。
【０２９９】
また、版権者側では絶版になったデータ（ＣＤ−ＤＡ等）でも在庫を持たずに販売することができるので在庫の軽減を図ることができ。
さらに、最新版の音楽等のデータでも遠隔地から即時に入手することができるので、運送にかかる日数を削減して地方への同時発売を容易に行なえ、運送費も削減することができる。
【０３００】
また、通信手段によって送信されるソースデータに関するデータを受信して、上記カウントされた個数分のプリントデータとして出力するようにすれば、手元にないソースメディアのジャケットや使用方法又はマニュアル等も版権者や著作権者の許可を得て容易に複写することができる。
【０３０１】
したがって、遠隔地からＣＤ等のジャケットを入手してスタンパで大量生産することもでき、オリジナルのジャケットと同じものを容易に入手することができる。
【０３０２】
さらに、ダイレクトアクセス装置に装着されたソースメディアに記録されたデータ量を検出し、その検出したデータ量が１個のターゲットメディアに記録可能な容量を越えているとき、ソースメディアから読み出したデータを複数の書き込み可能な光ディスク用ドライブにそれぞれ装着されたターゲットメディアにそれぞれ分割して書き込ませるようにすれば、ソースメディアに記録された大容量のデータを容易に複数個のＣＤ−Ｒ等の書き込み可能型光ディスクに振り分けて記録することができる。
【０３０３】
したがって、ソースメディアから読み出したデータを複数のターゲットメディアに対して次々と書き込みを行なえるので、書き込み完了までの時間を大幅に短縮することができる。
【０３０４】
さらにまた、ソースメディアから読み出したデータを複数の書き込み可能な光ディスク用ドライブに装着された各ターゲットメディアに書き込みきれなかったとき、書き込み可能な光ディスク用ドライブに対する新たなターゲットメディアの取り換え指示を通知するようにすれば、ユーザがＣＤ−Ｒの取り換え時期を容易に判断することができる。
したがって、ユーザは大量のデータを複数枚のＣＤ−Ｒにコピーする場合にディスク交換を容易に行なえる。
【０３０５】
【発明の効果】
以上説明してきたように、この発明によるデータ複写装置とＰＯＳシステムによれば、書き込み可能な光ディスク用ドライブを、ソースディスクからデータの読み出すドライブとソースディスクから読み出されたデータをターゲットディスクに書き込むドライブのいずれにも共通して使用することができる。
【０３０６】
また、光ディスク以外のテープ，ハードディスク，及び光磁気ディスク等のメディアに記録されたデータを書き込み可能な光ディスクに複写すること、あるいは、書き込み可能な光ディスクに記録されたデータを光ディスク以外のテープ，ハードディスク，及び光磁気ディスク等のメディアに複写することを容易に行なえる。
さらに、ＣＤ等のオリジナルメディアに記録されたデータをそのデータの版権及び著作権等の権利の保有者に許可を得て容易に複写利用することができる。
【図面の簡単な説明】
【図１】この発明の第１実施例のデータ複写装置の内部構成を示すブロック図である。
【図２】この発明の第１実施例のデータ複写装置の外観図である。
【図３】この発明の第１実施例のデータ複写装置によるデータ複写処理を示すフローチャートである。
【図４】この発明の第２実施例のデータ複写装置の外観図である。
【図５】この発明の第２実施例のデータ複写装置の内部構成を示すブロック図である。
【図６】この発明の第２実施例のデータ複写装置によるデータ複写処理を示すフローチャートである。
【図７】この発明の第３実施例のデータ複写装置の外観図である。
【図８】この発明の第３実施例のデータ複写装置の内部構成を示すブロック図である。
【図９】この発明の第３実施例のデータ複写装置によるデータ複写処理を示すフローチャートである。
【図１０】この発明の第４実施例のデータ複写装置の構成を示すブロック図である。
【図１１】この発明の第４実施例のデータ複写装置によるデータ複写処理を示すフローチャートである。
【図１２】この発明の第５実施例のデータ複写装置の構成を示すブロック図である。
【図１３】この発明の第５実施例のデータ複写装置によるデータ複写処理を示すフローチャートである。
【図１４】この発明の第６実施例のデータ複写装置の外観図である。
【図１５】この発明の第６実施例のデータ複写装置の内部構成を示すブロック図である。
【図１６】この発明の第６実施例のデータ複写装置によるデータ複写処理を示すフローチャートである。
【図１７】この発明の第７実施例のデータ複写装置の外観図である。
【図１８】この発明の第７実施例のデータ複写装置の内部構成を示すブロック図である。
【図１９】この発明の第７実施例のデータ複写装置によるデータ複写処理を示すフローチャートである。
【図２０】この発明の第８実施例のデータ複写装置の外観図である。
【図２１】この発明の第８実施例のデータ複写装置の内部構成を示すブロック図である。
【図２２】この発明の第８実施例のデータ複写装置によるデータ複写処理を示すフローチャートである。
【図２３】この発明の第９実施例のデータ複写装置の内部構成を示すブロック図である。
【図２４】この発明の第９実施例のデータ複写装置によるデータ複写処理を示すフローチャートである。
【図２５】この発明の第１０実施例のデータ複写装置の内部構成を示すブロック図である。
【図２６】この発明の第１０実施例のデータ複写装置によるデータ複写処理を示すフローチャートである。
【図２７】この発明の第１１実施例のデータ複写装置の内部構成を示すブロック図である。
【図２８】この発明の第１１実施例のデータ複写装置によるデータ複写処理を示すフローチャートである。
【図２９】この発明の第１２実施例のデータ複写装置の内部構成を示すブロック図である。
【図３０】この発明の第１２実施例のデータ複写装置によるデータ複写処理を示すフローチャートである。
【図３１】この発明の第１３実施例のデータ複写装置の内部構成を示すブロック図である。
【図３２】この発明の第１３実施例のデータ複写装置によるデータ複写処理を示すフローチャートである。
【符号の説明】
１：ＣＤ−Ｒユニット　３：インタフェースケーブル
４：ＣＤ−Ｒドライブ　９：コントローラ
８：インタフェース（Ｉ／Ｆ）コントローラ
１０：バッファ　　　２２ａ：押しボタンスイッチ
２３ａ：押下キー　　２９：押しボタンスイッチ検知部
３２：ＭＴドライブ　３６：ＨＤＤ
３７：ＭＴフォーマット指定スイッチ
８１：ＣＤ−ＲＯＭ　８２：ＣＤ−Ｒ
８３：ＰＯＳコントローラ　８５：端末装置
９０：ジュークボックス　　９３：ＣＤスタッカ
９５：チェンジャ　　　　　１３４：ディスプレイ
【図１】
2004005444.tif 000003
【図２】
2004005444.tif 000004
【図３】
2004005444.tif 000005
【図４】
2004005444.tif 000006
【図５】
2004005444.tif 000007
【図６】
2004005444.tif 000008
【図７】
2004005444.tif 000009
【図８】
2004005444.tif 000010
【図９】
2004005444.tif 000011
【図１０】
2004005444.tif 000012
【図１１】
2004005444.tif 000013
【図１２】
2004005444.tif 000014
【図１３】
2004005444.tif 000015
【図１４】
2004005444.tif 000016
【図１５】
2004005444.tif 000017
【図１６】
2004005444.tif 000018
【図１７】
2004005444.tif 000019
【図１８】
2004005444.tif 000020
【図１９】
2004005444.tif 000021
【図２０】
2004005444.tif 000022
【図２１】
2004005444.tif 000023
【図２２】
2004005444.tif 000024
【図２３】
2004005444.tif 000025
【図２４】
2004005444.tif 000026
【図２５】
2004005444.tif 000027
【図２６】
2004005444.tif 000028
【図２７】
2004005444.tif 000029
【図２８】
2004005444.tif 000030
【図２９】
2004005444.tif 000031
【図３０】
2004005444.tif 000032
【図３１】
2004005444.tif 000033
【図３２】
2004005444.tif 000034
【手続補正書】
【提出日】平成15年3月20日(2003.3.20)
【手続補正１】
【補正対象書類名】明細書
【補正対象項目名】特許請求の範囲
【補正方法】変更
【補正の内容】
【特許請求の範囲】
【請求項１】
複数の書き込み可能な光ディスク用ドライブを有し、
いずれか１台の書き込み可能な光ディスク用ドライブに装着されたソースメディアのデータを読み出す手段と、該手段によって読み出されたデータを残りの書き込み可能な光ディスク用ドライブに装着されたターゲットメディアに書き込ませる手段と、該ターゲットメディアに対する書き込み速度よりも速い速度で前記データを読み出す手段に前記ソースメディアからのデータの読み出しを行なわせる読み書き速度制御手段とを備え、
前記書き込み可能な光ディスク用ドライブに装着されたソースメディアがＣＤ−ＲＯＭのとき、該ＣＤ−ＲＯＭのバーコードを読み取る手段と、該手段によって読み取られたバーコードのデータをＰＯＳシステムを通じて前記ＣＤ−ＲＯＭの版権及び著作権等の権利の保有者の端末装置へ送る手段と、該端末装置から前記ＣＤ−ＲＯＭのコピーの許可及び不許可の指示データを受け取る手段と、該手段によってコピー許可の指示データを受け取ったときにのみ前記ＣＤ−ＲＯＭのデータの前記ターゲットメディアに対する書き込みを可能にする手段と、前記データの書き込みが成功したターゲットメディアの個数をカウントする手段と、該手段によってカウントされた個数のデータを前記ＰＯＳシステムを通じて前記ＣＤ−ＲＯＭの版権及び著作権等の権利の保有者の端末装置へ送る手段とを設けたことを特徴とするデータ複写装置。
【請求項２】
複数の書き込み可能な光ディスク用ドライブと、テープ記録装置，リムーバブルハードディスク装置，及び書き込みと書き換え可能な光磁気ディスク用ドライブ等のダイレクトアクセス装置とを有し、
該ダイレクトアクセス装置に装着されたソースメディアに記録されている記録フォーマットを検出する手段と、該手段によって検出された記録フォーマットに基づいて前記ソースメディアからデータを読み出させる手段と、該手段によって読み出されたデータを前記複数の書き込み可能な光ディスク用ドライブに装着されたターゲットメディアに記録可能なフォーマットに変換する手段と、該手段によって変換されたデータを前記複数の書き込み可能な光ディスク用ドライブに装着されたそれぞれのターゲットメディアに書き込ませる手段とを備え、
前記書き込み可能な光ディスク用ドライブに装着されたソースメディアがＣＤ−ＲＯＭのとき、該ＣＤ−ＲＯＭのバーコードを読み取る手段と、該手段によって読み取られたバーコードのデータをＰＯＳシステムを通じて前記ＣＤ−ＲＯＭの版権及び著作権等の権利の保有者の端末装置へ送る手段と、該端末装置から前記ＣＤ−ＲＯＭのコピーの許可及び不許可の指示データを受け取る手段と、該手段によってコピー許可の指示データを受け取ったときにのみ前記ＣＤ−ＲＯＭのデータの前記ターゲットメディアに対する書き込みを可能にする手段と、前記データの書き込みが成功したターゲットメディアの個数をカウントする手段と、該手段によってカウントされた個数のデータを前記ＰＯＳシステムを通じて前記ＣＤ−ＲＯＭの版権及び著作権等の権利の保有者の端末装置へ送る手段とを設けたことを特徴とするデータ複写装置。
【請求項３】
書き込み可能な光ディスク用ドライブと、テープ記録装置，リムーバブルハードディスク装置，及び書き込み可能で書き換え可能な光磁気ディスク用ドライブ等のダイレクトアクセス装置とを有し、
前記書き込み可能な光ディスク用ドライブに装着されたソースメディアからデータを読み出させる手段と、前記ダイレクトアクセス装置に装着されたターゲットメディアにデータを記録するときの記録フォーマットを設定する手段と、該手段によって設定された記録フォーマットに基づいて前記ソースメディアから読み出されたデータを前記ターゲットメディアに記録可能なフォーマットに変換する手段と、該手段によって変換されたデータを前記ダイレクトアクセス装置に装着されたターゲットメディアに書き込ませる手段とを備え、
前記書き込み可能な光ディスク用ドライブに装着されたソースメディアがＣＤ−ＲＯＭのとき、該ＣＤ−ＲＯＭのバーコードを読み取る手段と、該手段によって読み取られたバーコードのデータをＰＯＳシステムを通じて前記ＣＤ−ＲＯＭの版権及び著作権等の権利の保有者の端末装置へ送る手段と、該端末装置から前記ＣＤ−ＲＯＭのコピーの許可及び不許可の指示データを受け取る手段と、該手段によってコピー許可の指示データを受け取ったときにのみ前記ＣＤ−ＲＯＭのデータの前記ターゲットメディアに対する書き込みを可能にする手段と、前記データの書き込みが成功したターゲットメディアの個数をカウントする手段と、該手段によってカウントされた個数のデータを前記ＰＯＳシステムを通じて前記ＣＤ−ＲＯＭの版権及び著作権等の権利の保有者の端末装置へ送る手段とを設けたことを特徴とするデータ複写装置。
【請求項４】
請求項１記載のデータ複写装置において、
前記複数の書き込み可能な光ディスク用ドライブが１台づつ相互に着脱可能なモジュールに分割されており、
該各モジュールに、他のモジュールとデータのやり取りを可能に接続する手段と、装着されたメディアの種類に基づいてソースメディアのデータを読み出すモジュールと、該モジュールによって読み出されたデータをターゲットメディアに書き込むモジュールとのいずれかの役割を自動的に決定する手段とを設けたことを特徴とするデータ複写装置。
【請求項５】
データ複写装置とデータの通信を行なう通信手段を備えた権利の保有者の端末装置であって、
前記データ複写装置からの必要なデータの要求に基づいてそのデータのコピー要求の許可又は不許可を判断し、許可の場合はその通知を前記データ複写装置へ送る手段を設けたことを特徴とする権利の保有者の端末装置。
【請求項６】
請求項５記載の権利の保有者の端末装置において、
前記データ複写装置からのカウントデータに基づいて課金を行なう手段を設けたことを特徴とする権利の保有者の端末装置。
【請求項７】
請求項５又は６記載の権利の保有者の端末装置において、
前記データ複写装置がソースメディアのソースデータを読み取る手段と、前記ソースデータをターゲットメディアに書き込む手段とを設けたことを特徴とする権利の保有者の端末装置。
【請求項８】
請求項７記載の権利の保有者の端末装置において、
前記データ複写装置がソースメディアの固有コードを読み取る手段を備え、前記データ複写装置から受け取った前記ソースメディアの固有コードに基づいてデータのコピー要求の許可又は不許可を判断するようにしたことを特徴とする権利の保有者の端末装置。
【請求項９】
請求項５又は６記載の権利の保有者の端末装置において、
ソースメディアのソースデータを読み取る手段と、該手段によって読み取ったソースデータをデータ複写装置に送信する手段を設けたことを特徴とする権利の保有者の端末装置。
【請求項１０】
データ複写装置とデータの通信を行なう通信手段を備えた権利の保有者の端末装置を有するデータ複写システムであって、
前記権利の保有者の端末装置に、前記データ複写装置からの必要なデータの要求に基づいてそのデータのコピー要求の許可又は不許可を判断し、許可の場合はその通知を前記データ複写装置へ送る手段を設けたことを特徴とするデータ複写システム。
【請求項１１】
請求項５記載のデータ複写システムにおいて、
前記権利の保有者の端末装置に、前記データ複写装置からのカウントデータに基づいて課金を行なう手段を設けたことを特徴とするデータ複写システム。
【請求項１２】
請求項１０又は１１記載のデータ複写システムにおいて、
前記データ複写装置がソースメディアのソースデータを読み取る手段と、前記ソースデータをターゲットメディアに書き込む手段とを備え、前記権利の保有者の端末装置からのコピー要求の許可の通知があった場合にソースデータをターゲットメディアに書き込ませるようにしたことを特徴とするデータ複写システム。
【請求項１３】
請求項１２記載のデータ複写システムにおいて、
前記データ複写装置がソースメディアの固有コードを読み取る手段を備え、前記権利の保有者の端末装置がデータ複写装置から受け取った前記ソースメディアの固有コードに基づいてデータのコピー要求の許可又は不許可を判断するようにしたことを特徴とするデータ複写システム。
【請求項１４】
請求項１０又は１１記載のデータ複写システムにおいて、
前記権利の保有者の端末装置に、ソースメディアのソースデータを読み取る手段と、前記ソースデータをデータ複写装置に送信する手段とを設けたことを特徴とするデータ複写システム。
【請求項１５】
権利の保有者の端末装置とデータの通信を行う通信手段を備えたデータ複写装置であって、
前記権利の保有者の端末装置に必要なデータの要求を行う手段と、前記権利の保有者の端末装置からのデータのコピー要求の許可の通知を受信する手段とを備えたことを特徴とするデータ複写装置。
【請求項１６】
ソースメディアのソースデータを読み取る手段と、ソースデータをターゲットメディアに書き込む手段とを設けたことを特徴とする請求項１５記載のデータ複写装置。
【請求項１７】
請求項１５記載のデータ複写装置において、
ソースメディアの固有コードを読み取る手段と、該手段によって読み取ったソースメディアの固有コードを前記権利の保有者の端末装置に対して送信する手段とを設けたことを特徴とするデータ複写装置。
【請求項１８】
請求項１５又は１６記載のデータ複写装置において、
前記権利の保有者の端末装置からソースデータを受信する手段と、該手段によって受信したソースデータをターゲットメディアに書き込む手段とを設けたことを特徴とするデータ複写装置。
【手続補正２】
【補正対象書類名】明細書
【補正対象項目名】００２９
【補正方法】変更
【補正の内容】
【００２９】
【課題を解決するための手段】
この発明は上記の目的を達成するため、複数の書き込み可能な光ディスク用ドライブを有し、いずれか１台の書き込み可能な光ディスク用ドライブに装着されたソースメディアのデータを読み出す手段と、その手段によって読み出されたデータを残りの書き込み可能な光ディスク用ドライブに装着されたターゲットメディアに書き込ませる手段と、そのターゲットメディアに対する書き込み速度よりも速い速度で上記データを読み出す手段に上記ソースメディアからのデータの読み出しを行なわせる読み書き速度制御手段を備え、上記書き込み可能な光ディスク用ドライブに装着されたソースメディアがＣＤ−ＲＯＭのとき、そのＣＤ−ＲＯＭのバーコードを読み取る手段と、その手段によって読み取られたバーコードのデータをＰＯＳシステムを通じて上記ＣＤ−ＲＯＭの版権及び著作権等の権利の保有者の端末装置へ送る手段と、その端末装置から上記ＣＤ−ＲＯＭのコピーの許可及び不許可の指示データを受け取る手段と、その手段によってコピー許可の指示データを受け取ったときにのみ上記ＣＤ−ＲＯＭのデータの上記ターゲットメディアに対する書き込みを可能にする手段と、上記データの書き込みが成功したターゲットメディアの個数をカウントする手段と、その手段によってカウントされた個数のデータを上記ＰＯＳシステムを通じて上記ＣＤ−ＲＯＭの版権及び著作権等の権利の保有者の端末装置へ送る手段を設けたデータ複写装置を提供する。


【手続補正３】
【補正対象書類名】明細書
【補正対象項目名】００３０
【補正方法】変更
【補正の内容】
【００３０】
また、複数の書き込み可能な光ディスク用ドライブと、テープ記録装置，リムーバブルハードディスク装置，及び書き込みと書き換え可能な光磁気ディスク用ドライブ等のダイレクトアクセス装置を有し、そのダイレクトアクセス装置に装着されたソースメディアに記録されている記録フォーマットを検出する手段と、その手段によって検出された記録フォーマットに基づいて上記ソースメディアからデータを読み出させる手段と、その手段によって読み出されたデータを上記複数の書き込み可能な光ディスク用ドライブに装着されたターゲットメディアに記録可能なフォーマットに変換する手段と、その手段によって変換されたデータを上記複数の書き込み可能な光ディスク用ドライブに装着されたそれぞれのターゲットメディアに書き込ませる手段を備え、上記書き込み可能な光ディスク用ドライブに装着されたソースメディアがＣＤ−ＲＯＭのとき、そのＣＤ−ＲＯＭのバーコードを読み取る手段と、その手段によって読み取られたバーコードのデータをＰＯＳシステムを通じて上記ＣＤ−ＲＯＭの版権及び著作権等の権利の保有者の端末装置へ送る手段と、その端末装置から上記ＣＤ−ＲＯＭのコピーの許可及び不許可の指示データを受け取る手段と、その手段によってコピー許可の指示データを受け取ったときにのみ上記ＣＤ−ＲＯＭのデータの上記ターゲットメディアに対する書き込みを可能にする手段と、上記データの書き込みが成功したターゲットメディアの個数をカウントする手段と、その手段によってカウントされた個数のデータを上記ＰＯＳシステムを通じて上記ＣＤ−ＲＯＭの版権及び著作権等の権利の保有者の端末装置へ送る手段を設けたデータ複写装置にするとよい。


【手続補正４】
【補正対象書類名】明細書
【補正対象項目名】００３１
【補正方法】変更
【補正の内容】
【００３１】
さらに、書き込み可能な光ディスク用ドライブと、テープ記録装置，リムーバブルハードディスク装置，及び書き込み可能で書き換え可能な光磁気ディスク用ドライブ等のダイレクトアクセス装置を有し、上記書き込み可能な光ディスク用ドライブに装着されたソースメディアからデータを読み出させる手段と、上記ダイレクトアクセス装置に装着されたターゲットメディアにデータを記録するときの記録フォーマットを設定する手段と、その手段によって設定された記録フォーマットに基づいて上記ソースメディアから読み出されたデータを上記ターゲットメディアに記録可能なフォーマットに変換する手段と、その手段によって変換されたデータを上記ダイレクトアクセス装置に装着されたターゲットメディアに書き込ませる手段を備え、上記書き込み可能な光ディスク用ドライブに装着されたソースメディアがＣＤ−ＲＯＭのとき、そのＣＤ−ＲＯＭのバーコードを読み取る手段と、その手段によって読み取られたバーコードのデータをＰＯＳシステムを通じて上記ＣＤ−ＲＯＭの版権及び著作権等の権利の保有者の端末装置へ送る手段と、その端末装置から上記ＣＤ−ＲＯＭのコピーの許可及び不許可の指示データを受け取る手段と、その手段によってコピー許可の指示データを受け取ったときにのみ上記ＣＤ−ＲＯＭのデータの上記ターゲットメディアに対する書き込みを可能にする手段と、上記データの書き込みが成功したターゲットメディアの個数をカウントする手段と、その手段によってカウントされた個数のデータを上記ＰＯＳシステムを通じて上記ＣＤ−ＲＯＭの版権及び著作権等の権利の保有者の端末装置へ送る手段を設けたデータ複写装置にするとよい。


【手続補正５】
【補正対象書類名】明細書
【補正対象項目名】００３２
【補正方法】変更
【補正の内容】
【００３２】
また、上記のようなデータ複写装置において、上記複数の書き込み可能な光ディスク用ドライブが１台づつ相互に着脱可能なモジュールに分割されており、その各モジュールに、他のモジュールとデータのやり取りを可能に接続する手段と、装着されたメディアの種類に基づいてソースメディアのデータを読み出すモジュールと、そのモジュールによって読み出されたデータをターゲットメディアに書き込むモジュールとのいずれかの役割を自動的に決定する手段を設けるとよい。
【手続補正６】
【補正対象書類名】明細書
【補正対象項目名】００３３
【補正方法】変更
【補正の内容】
【００３３】
さらに、データ複写装置とデータの通信を行なう通信手段を備えた権利の保有者の端末装置であって、上記データ複写装置からの必要なデータの要求に基づいてそのデータのコピー要求の許可又は不許可を判断し、許可の場合はその通知を上記データ複写装置へ送る手段を設けた権利の保有者の端末装置を提供する。


【手続補正７】
【補正対象書類名】明細書
【補正対象項目名】００３４
【補正方法】変更
【補正の内容】
【００３４】
また、上記のような権利の保有者の端末装置において、上記データ複写装置からのカウントデータに基づいて課金を行なう手段を設けるとよい。


【手続補正８】
【補正対象書類名】明細書
【補正対象項目名】００３５
【補正方法】変更
【補正の内容】
【００３５】
さらに、上記のような権利の保有者の端末装置において、上記データ複写装置がソースメディアのソースデータを読み取る手段と、上記ソースデータをターゲットメディアに書き込む手段を設けるとよい。


【手続補正９】
【補正対象書類名】明細書
【補正対象項目名】００３６
【補正方法】変更
【補正の内容】
【００３６】
また、上記のような権利の保有者の端末装置において、上記データ複写装置がソースメディアの固有コードを読み取る手段を備え、上記データ複写装置から受け取った上記ソースメディアの固有コードに基づいてデータのコピー要求の許可又は不許可を判断するようにした権利の保有者の端末装置にするとよい。


【手続補正１０】
【補正対象書類名】明細書
【補正対象項目名】００３７
【補正方法】変更
【補正の内容】
【００３７】
さらに、上記のような権利の保有者の端末装置において、ソースメディアのソースデータを読み取る手段と、その手段によって読み取ったソースデータをデータ複写装置に送信する手段を備えているを設けるとよい。
【手続補正１１】
【補正対象書類名】明細書
【補正対象項目名】００３８
【補正方法】変更
【補正の内容】
【００３８】
また、データ複写装置とデータの通信を行なう通信手段を備えた権利の保有者の端末装置を有するデータ複写システムであって、上記権利の保有者の端末装置に、上記データ複写装置からの必要なデータの要求に基づいてそのデータのコピー要求の許可又は不許可を判断し、許可の場合はその通知を上記データ複写装置へ送る手段を設けたデータ複写システムを提供する。
【手続補正１２】
【補正対象書類名】明細書
【補正対象項目名】００３９
【補正方法】変更
【補正の内容】
【００３９】
さらに、上記のようなデータ複写システムにおいて、上記権利の保有者の端末装置に、上記データ複写装置からのカウントデータに基づいて課金を行なう手段を設けるとよい。
【手続補正１３】
【補正対象書類名】明細書
【補正対象項目名】００４０
【補正方法】変更
【補正の内容】
【００４０】
また、上記のようなデータ複写システムにおいて、上記データ複写装置がソースメディアのソースデータを読み取る手段と、上記ソースデータをターゲットメディアに書き込む手段を備え、上記権利の保有者の端末装置からのコピー要求の許可の通知があった場合にソースデータをターゲットメディアに書き込ませるようにするとよい。


【手続補正１４】
【補正対象書類名】明細書
【補正対象項目名】００４１
【補正方法】変更
【補正の内容】
【００４１】
さらに、上記のようなデータ複写システムにおいて、上記データ複写装置がソースメディアの固有コードを読み取る手段を備え、上記権利の保有者の端末装置がデータ複写装置から受け取った上記ソースメディアの固有コードに基づいてデータのコピー要求の許可又は不許可を判断するようにするとよい。
また、上記のようなデータ複写システムにおいて、上記権利の保有者の端末装置に、ソースメディアのソースデータを読み取る手段と、上記ソースデータをデータ複写装置に送信する手段とを設けるとよい。


【手続補正１５】
【補正対象書類名】明細書
【補正対象項目名】００４２
【補正方法】変更
【補正の内容】
【００４２】
さらに、権利の保有者の端末装置とデータの通信を行う通信手段を備えたデータ複写装置であって、上記権利の保有者の端末装置に必要なデータの要求を行う手段と、上記権利の保有者の端末装置からのデータのコピー要求の許可の通知を受信する手段を備えたデータ複写装置を提供する。
また、上記のようなデータ複写装置において、ソースメディアのソースデータを読み取る手段と、ソースデータをターゲットメディアに書き込む手段を設けるとよい。
さらに、上記のようなデータ複写装置において、ソースメディアの固有コードを読み取る手段と、その手段によって読み取ったソースメディアの固有コードを上記権利の保有者の端末装置に対して送信する手段を設けるとよい。
さらにまた、上記のようなデータ複写装置において、上記権利の保有者の端末装置からソースデータを受信する手段と、その手段によって受信したソースデータをターゲットメディアに書き込む手段を設けるとよい。